(57)【要約】  オープンループ送信でＣＤＤを用いる場合に周波数ダイバーシチ効果を得ることができる無線通信装置。この装置において、ＣＤＤ制御情報決定部（１０１）は、アンテナ（１０９−１）〜（１０９−４）のいずれか２つのアンテナで構成されるすべての組み合わせにおいて、２本のアンテナからそれぞれ送信される送信データに与える２つの循環遅延シフトサンプル数の差が最大となる組み合わせを時間の経過とともに順次変化させるように、アンテナ（１０９−１）〜（１０９−４）からそれぞれ送信される送信データに与える循環遅延シフトサンプル数を決定する。そして、循環遅延部（１０５−１）〜（１０５−４）は、配置部（１０４）から入力される多重された信号のうち、複数のサブキャリアにそれぞれ配置された各データシンボルに対して、ＣＤＤ制御情報決定部（１０１）から入力される循環遅延シフトサンプル数に従って互いに異なる循環遅延を与える。
2009008180.tif 000002
【特許請求の範囲】
【請求項１】
複数のサブキャリアからなるマルチキャリア信号を循環遅延ダイバーシチ送信する無線通信装置であって、
複数のアンテナのいずれか２つのアンテナで構成されるすべての組み合わせにおいて、前記２つのアンテナからそれぞれ送信される前記マルチキャリア信号に与える２つのＣＤＤ遅延量の差が最大となる組み合わせを時間の経過とともに順次変化させるように、前記複数のアンテナからそれぞれ送信される前記マルチキャリア信号に与える複数のＣＤＤ遅延量を決定する決定手段と、
決定された前記複数のＣＤＤ遅延量を前記マルチキャリア信号に与える遅延手段と、
を具備する無線通信装置。
【請求項２】
前記決定手段は、同一の送信単位時間内に前記２つのＣＤＤ遅延量の差が最大となる組み合わせを複数存在させるように前記複数のＣＤＤ遅延量を決定する、
請求項１記載の無線通信装置。
【請求項３】
前記決定手段は、同一の送信単位時間内に前記２つのＣＤＤ遅延量の差が最大となる組み合わせを前記複数のアンテナの数の半数存在させるように前記複数のＣＤＤ遅延量を決定する、
請求項２記載の無線通信装置。
【請求項４】
前記決定手段は、前記マルチキャリア信号のデータ長を前記複数のアンテナの数で等分した値の整数倍の値を前記複数のＣＤＤ遅延量とする、
請求項１記載の無線通信装置。
【請求項５】
前記決定手段は、前記２つのＣＤＤ遅延量の差が最大となる組み合わせを構成する２つのアンテナから送信される前記マルチキャリア信号の送信電力を高くし、前記２つのＣＤＤ遅延量の差が最大となる組み合わせを構成する２つのアンテナ以外のアンテナから送信される前記マルチキャリア信号の送信電力を低くするように、前記複数のアンテナからそれぞれ送信される前記マルチキャリア信号に対する送信電力を決定し、
決定された前記送信電力に従って、前記マルチキャリア信号の送信電力を制御する制御手段を、さらに具備する、
請求項１記載の無線通信装置。
【請求項６】
前記制御手段は、前記マルチキャリア信号のうちデータ信号の送信電力を制御する、
請求項５記載の無線通信装置。
【請求項７】
前記制御手段は、前記マルチキャリア信号のうち参照信号の送信電力を制御する、
請求項５記載の無線通信装置。
【請求項８】
前記決定手段は、前記２つのＣＤＤ遅延量の差が最大となる組み合わせを構成する２つのアンテナから送信される参照信号の送信単位時間当たりの配置密度を高くし、前記２つのＣＤＤ遅延量の差が最大となる組み合わせを構成する２つのアンテナ以外のアンテナから送信される参照信号の送信単位時間当たりの配置密度を低くするように、前記複数のアンテナからそれぞれ送信される前記参照信号の送信単位時間当たりの配置密度を決定し、
決定された前記配置密度に従って前記参照信号を前記複数のサブキャリアのいずれかに配置する配置手段を、さらに具備する、
請求項１記載の無線通信装置。
【請求項９】
前記決定手段は、同一の送信単位時間において、前記２つのＣＤＤ遅延量の差が最大となる組み合わせを異なる周波数領域で変化させるように、前記複数のＣＤＤ遅延量を決定する、
請求項１記載の無線通信装置。
【請求項１０】
前記決定手段は、同一の送信単位時間において、前記２つのＣＤＤ遅延量の差が最大となる組み合わせが自装置と他の無線通信装置との間で互いに異なるように、前記複数のＣＤＤ遅延量を決定する、
請求項１記載の無線通信装置。
【請求項１１】
前記決定手段は、
前記２つのＣＤＤ遅延量の差が最大となる組み合わせを時間の経過とともに順次変化させた複数の組み合わせから成る組み合わせパターンを記憶し、
自装置と他の無線通信装置との間で互いに異なる前記組合せパターンを用いて、前記複数のＣＤＤ遅延量を決定する、
請求項１０記載の無線通信装置。
【請求項１２】
前記決定手段は、前記２つのＣＤＤ遅延量の差が最大となる組み合わせを時間の経過とともに順次変化させた複数の組み合わせから成る組み合わせパターンのうち同一の組み合わせを、自装置と他の無線通信装置との間で互いに異なる送信単位時間で用いて、前記複数のＣＤＤ遅延量を決定する、
請求項１０記載の無線通信装置。
【請求項１３】
複数のサブキャリアからなるマルチキャリア信号を循環遅延ダイバーシチ送信する無線通信装置におけるＣＤＤ遅延量決定方法であって、
複数のアンテナのいずれか２つのアンテナで構成されるすべての組み合わせにおいて、前記２つのアンテナからそれぞれ送信される前記マルチキャリア信号に与える２つのＣＤＤ遅延量の差が最大となる組み合わせを時間の経過とともに順次変化させるように、前記複数のアンテナからそれぞれ送信される前記マルチキャリア信号に与える複数のＣＤＤ遅延量を決定する、
ＣＤＤ遅延量決定方法。
【発明の詳細な説明】
【技術分野】
【０００１】
本発明は、無線通信装置およびＣＤＤ遅延量決定方法に関する。
【背景技術】
【０００２】
近年、高速大容量のデータ伝送を実現するための伝送技術の検討が行われており、複数のアンテナを用いたＭＩＭＯ（Multi Input Multi Output）伝送技術が注目を集めている。ＭＩＭＯ伝送では、送信側および受信側の双方に複数のアンテナを設け、無線送受信間の空間に複数の伝搬路を用意し、それら複数の伝搬路を空間多重することにより、スループットを増大させることができる。【０００３】
また、ＭＩＭＯ伝送の周辺要素技術として、アンテナ毎に異なる循環遅延を与えた信号を複数のアンテナから同時に送信することで等価的に遅延スプレッドを増大させてフェージングチャネルの周波数選択性を高める循環遅延ダイバーシチ（ＣＤＤ：Cyclic Delay Diversity）技術が検討されている（例えば、非特許文献１参照）。ここで、遅延スプレッドの大きさは、各アンテナのチャネル利得と、各アンテナから送信されるデータシンボルに与えるＣＤＤ遅延量である循環遅延シフトサンプル数の差とに基づく。具体的には、より大きなチャネル利得の２つのアンテナからそれぞれ送信されるデータシンボルに与えられる循環遅延シフトサンプル数の差がより大きいほど、遅延スプレッドがより大きくなる。また、得られる遅延スプレッドがより大きいほど、より大きな周波数ダイバーシチ効果を得ることができる。【０００４】
また、ＣＤＤにおいて、予め決められた固定の循環遅延シフトサンプル数をデータシンボルに与えて送信するオープンループ送信を行うことが考えられる（例えば、非特許文献２参照）。
【非特許文献１】3GPP,R1-051354,Samsung,“Adaptive Cyclic Delay Diversity”,RAN1#43,Soul,Korea,November 7-10,2005
【非特許文献２】3GPP,R1-063345,LGE,“CDD-based Precoding for E-UTRA downlink MIMO”,RAN1#47,Riga,Latvia,November 6-10,2006
【発明の開示】
【発明が解決しようとする課題】
【０００５】
オープンループ送信を行う無線通信基地局装置（以下、単に基地局という）では、循環遅延シフトサンプル数が予め決められているため、遅延スプレッドの大きさは、各アンテナの時間フェージングのチャネル利得の変動に影響される。また、無線通信移動局装置（以下、単に移動局という）の移動速度が低速である場合、各アンテナの時間フェージングのチャネル利得の変動は緩慢になる。通信時間内の各アンテナの時間フェージングのチャネル利得の変動が緩慢であり、かつ、チャネル利得の大きい２つのアンテナからそれぞれ送信されるデータシンボルに与える２つの循環遅延シフトサンプル数の差が小さい場合には、遅延スプレッドが小さい状態が継続してしまい、周波数ダイバーシチ効果が常に小さくなってしまう。このように、オープンループ送信では、各アンテナの時間フェージングのチャネル利得の変動が緩慢な場合に、周波数ダイバーシチ効果が得られないことがある。【０００６】
本発明の目的は、オープンループ送信でＣＤＤを用いる場合に周波数ダイバーシチ効果を得ることができる無線通信装置およびＣＤＤ遅延量決定方法を提供することである。
【課題を解決するための手段】
【０００７】
本発明の無線通信装置は、複数のサブキャリアからなるマルチキャリア信号を循環遅延ダイバーシチ送信する無線通信装置であって、複数のアンテナのいずれか２つのアンテナで構成されるすべての組み合わせにおいて、前記２つのアンテナからそれぞれ送信される前記マルチキャリア信号に与える２つのＣＤＤ遅延量の差が最大となる組み合わせを時間の経過とともに順次変化させるように、前記複数のアンテナからそれぞれ送信される前記マルチキャリア信号に与える複数のＣＤＤ遅延量を決定する決定手段と、決定された前記複数のＣＤＤ遅延量を前記マルチキャリア信号に与える遅延手段と、を具備する構成を採る。
【発明の効果】
【０００８】
本発明によれば、オープンループ送信でＣＤＤを用いる場合に周波数ダイバーシチ効果を得ることができる。
【図面の簡単な説明】
【０００９】
【図１】本発明の実施の形態１に係る基地局のブロック構成図
【図２】本発明の実施の形態１に係る循環遅延シフトサンプル数のパターンを示す図
【図３】本発明の実施の形態１に係る時間フェージングのチャネル利得の変動を示す図
【図４】本発明の実施の形態１に係るすべてのアンテナの組み合わせにおける遅延スプレッドの時間推移を示す図
【図５】本発明の実施の形態１に係る最大ドップラー周期とシフト周期との関係を示す図
【図６】本発明の実施の形態１に係る移動局のブロック構成図
【図７】本発明の実施の形態２に係る循環遅延シフトサンプル数のパターンを示す図
【図８】本発明の実施の形態２に係るすべてのアンテナの組み合わせにおける遅延スプレッドの時間推移を示す図
【図９】本発明の実施の形態２に係る最大ドップラー周期とシフト周期との関係を示す図
【図１０】本発明の実施の形態３に係る基地局のブロック構成図
【図１１】本発明の実施の形態３に係る送信電力パラメータのパターンを示す図
【図１２】本発明の実施の形態３に係るＯＦＤＭシンボルの送信電力制御を示す図
【図１３】本発明の実施の形態３に係る配置密度パラメータのパターンを示す図
【図１４】本発明の実施の形態３に係る共通参照信号の配置例を示す図
【図１５】本発明の実施の形態４に係る周波数領域における組み合わせパターンを示す図
【図１６】本発明の実施の形態４に係る時間領域および周波数領域における組み合わせパターンを示す図
【図１７】本発明の実施の形態５に係るＭＢＭＳを用いた移動体通信システム示す図
【図１８Ａ】本発明の実施の形態５に係る循環遅延シフトサンプル数のパターンを示す図（制御情報決定方法１）
【図１８Ｂ】本発明の実施の形態５に係る送信電力パラメータのパターンを示す図（制御情報決定方法１）
【図１８Ｃ】本発明の実施の形態５に係る配置密度パラメータのパターンを示す図（制御情報決定方法１）
【図１９】本発明の実施の形態５に係る各基地局の組み合わせパターンを示す図（制御情報決定方法１）
【図２０】本発明の実施の形態５に係る時間領域および周波数領域における組み合わせパターンを示す図（制御情報決定方法１）
【図２１】本発明の実施の形態５に係る各基地局の組み合わせパターンを示す図（制御情報決定方法２）
【図２２】本発明の実施の形態５に係る時間領域および周波数領域における組み合わせパターンを示す図（制御情報決定方法２）
【発明を実施するための最良の形態】
【００１０】
以下、本発明の実施の形態について、図面を参照して詳細に説明する。【００１１】
（実施の形態１）
本実施の形態に係る基地局１００の構成を図１に示す。【００１２】
図１に示す基地局１００において、ＣＤＤ制御情報決定部１０１は、アンテナ１０９−１〜１０９−４からそれぞれ送信されるデータシンボルに与える循環遅延シフトサンプル数を決定する。具体的には、ＣＤＤ制御情報決定部１０１は、アンテナ１０９−１〜１０９−４のいずれか２つのアンテナで構成されるすべての組み合わせにおいて、２本のアンテナからそれぞれ送信されるデータシンボルに与える２つの循環遅延シフトサンプル数の差が最大となる組み合わせを時間の経過とともに順次変化させるように、アンテナ１０９−１〜１０９−４からそれぞれ送信されるデータシンボルに与える循環遅延シフトサンプル数を決定する。また、ＣＤＤ制御情報決定部１０１は、決定した各アンテナの循環遅延シフトサンプル数を示す制御信号を生成する。そして、ＣＤＤ制御情報決定部１０１は、互いに異なる循環遅延シフトサンプル数を循環遅延部１０５−１〜１０５−４へそれぞれ出力する。ＣＤＤ制御情報決定部１０１におけるＣＤＤ遅延量決定処理の詳細については後述する。【００１３】
符号化部１０２は、送信データを符号化する。そして、符号化部１０２は、符号化後の送信データを変調部１０３へ出力する。【００１４】
変調部１０３は、符号化部１０２から入力される符号化後の送信データを変調してデータシンボルを生成する。そして、変調部１０３は、生成されたデータシンボルを配置部１０４へ出力する。【００１５】
配置部１０４は、共通参照信号と、ＣＤＤ制御情報決定部１０１から入力される制御信号と、変調部１０３から入力されるデータシンボルとを多重するとともに、多重された信号を複数のサブキャリアにそれぞれ配置する。そして、配置部１０４は、多重された信号を循環遅延部１０５−１〜１０５−４へそれぞれ出力する。【００１６】
循環遅延部１０５−１、ＩＦＦＴ（Inverse Fast Fourier Transform）部１０６−１、ＣＰ（Cyclic Prefix）付加部１０７−１および無線送信部１０８−１はアンテナ１０９−１に対応して備えられる。同様に、循環遅延部１０５−２〜１０５−４、ＩＦＦＴ部１０６−２〜１０６−４、ＣＰ付加部１０７−２〜１０７−４および無線送信部１０８−２〜１０８−４はアンテナ１０９−２〜１０９−４に対応して備えられる。【００１７】
循環遅延部１０５−１〜１０５−４は、配置部１０４から入力される多重された信号のうち、複数のサブキャリアにそれぞれ配置された各データシンボルに対して、ＣＤＤ制御情報決定部１０１から入力される循環遅延シフトサンプル数に従って互いに異なる循環遅延を与える。そして、循環遅延部１０５−１〜１０５−４は、循環遅延後の信号をＩＦＦＴ部１０６−１〜１０６−４へそれぞれ出力する。【００１８】
ＩＦＦＴ部１０６−１〜１０６−４は、循環遅延部１０５−１〜１０５−４からそれぞれ入力される循環遅延後の信号が配置されたサブキャリアに対してＩＦＦＴ処理を施して、ＯＦＤＭシンボルを生成する。そして、ＩＦＦＴ部１０６−１〜１０６−４は、ＯＦＤＭシンボルをＣＰ付加部１０７−１〜１０７−４へそれぞれ出力する。【００１９】
ＣＰ付加部１０７−１〜１０７−４は、各ＯＦＤＭシンボルの後尾部分と同じ信号をＣＰとして各ＯＦＤＭシンボルの先頭に付加する。そして、ＣＰ付加部１０７−１〜１０７−４は、ＣＰ付加後のＯＦＤＭシンボルを無線送信部１０８−１〜１０８−４へそれぞれ出力する。【００２０】
無線送信部１０８−１〜１０８−４は、ＣＰ付加後のＯＦＤＭシンボルに対しＤ／Ａ変換、増幅およびアップコンバート等の送信処理を行って、送信処理後のＯＦＤＭシンボルをアンテナ１０９−１〜１０９−４から同時に送信する。これにより、複数のＯＦＤＭシンボルが複数のアンテナよりＣＤＤ送信される。【００２１】
次に、ＣＤＤ制御情報決定部１０１におけるＣＤＤ遅延量決定処理の詳細について説明する。【００２２】
ここでは、変調部１０３から入力されるデータシンボルのデータ長をＮシンボルとする。よって、循環遅延シフトサンプル数の差は最大でＮ／２となる。また、アンテナ数が４本であるため、ＣＤＤ制御情報決定部１０１では、０〜Ｎ／２の間で等間隔に離れた４つの値を循環遅延シフトサンプル数として用いる。つまり、ＣＤＤ制御情報決定部１０１では、各アンテナから送信されるデータシンボルに与える循環遅延シフトサンプル数が、０、Ｎ／６、Ｎ／３、Ｎ／２のいずれかに決定される。また、送信単位時間を１ＴＴＩ（Transmission Time Interval）とする。【００２３】
また、アンテナの数が４本の場合、２つのアンテナで構成されるすべての組み合わせは１２（＝４Ｐ２）通りとなる。ただし、順列が異なる同一のアンテナの組み合わせでは、与える循環遅延シフトサンプル数を互いに入れ替えただけであり、循環遅延シフトサンプル数の差は不変であるため、遅延スプレッドの大きさはほぼ同一となる。例えば、アンテナ１０９−１から送信されるデータシンボルに０を与えるとともにアンテナ１０９−２から送信されるデータシンボルにＮ／２を与える場合と、アンテナ１０９−１から送信されるデータシンボルにＮ／２を与えるとともにアンテナ１０９−２から送信されるデータシンボルに０を与える場合とでは、遅延スプレッドの大きさはほぼ同一となる。つまり、２つのアンテナからそれぞれ送信されるデータシンボルに与えられる循環遅延シフトサンプル数がどのような値であっても、その差が同一であれば、遅延スプレッドの大きさはほぼ同一となる。よって、アンテナ数が４本の場合、２つのアンテナで構成されるすべての組み合わせは１２通りの半分の６（＝４Ｃ２）通りとすることができる。【００２４】
そこで、ＣＤＤ制御情報決定部１０１は、６通りの組み合わせにおいて、２本のアンテナからそれぞれ送信されるデータシンボルに与える２つの循環遅延シフトサンプル数の差がＮ／２となる組み合わせを６ＴＴＩに渡って順次変化させるように、アンテナ１０９−１〜１０９−４からそれぞれ送信されるデータシンボルに与える４つの循環遅延シフトサンプル数を決定する。【００２５】
具体的には、ＣＤＤ制御情報決定部１０１は、ＴＴＩ１〜６それぞれにおける４つの循環遅延シフトサンプル数の組み合わせとして、図２に示す組み合わせ番号Ｃ１〜６の組み合わせをそれぞれ決定する。すなわち、ＴＴＩ１に対しては図２に示す組み合わせ番号Ｃ１を対応させ、ＣＤＤ制御情報決定部１０１は、アンテナ１０９−１から送信されるデータシンボルに与える循環遅延シフトサンプル数を０に決定し、アンテナ１０９−２から送信されるデータシンボルに与える循環遅延シフトサンプル数をＮ／２に決定し、アンテナ１０９−３から送信されるデータシンボルに与える循環遅延シフトサンプル数をＮ／３に決定し、アンテナ１０９−４から送信されるデータシンボルに与える循環遅延シフトサンプル数をＮ／６に決定する。つまり、ＴＴＩ１（組み合わせ番号Ｃ１）では、アンテナ１０９−１および１０９−２からそれぞれ送信されるデータシンボルに与えられる２つの循環遅延シフトサンプル数の差が最大値（Ｎ／２）となる。【００２６】
同様にして、ＴＴＩ２に対しては図２に示す組み合わせ番号Ｃ２を対応させ、ＣＤＤ制御情報決定部１０１は、アンテナ１０９−１から送信されるデータシンボルに与える循環遅延シフトサンプル数を０に決定し、アンテナ１０９−２から送信されるデータシンボルに与える循環遅延シフトサンプル数をＮ／６に決定し、アンテナ１０９−３から送信されるデータシンボルに与える循環遅延シフトサンプル数をＮ／２に決定し、アンテナ１０９−４から送信されるデータシンボルに与える循環遅延シフトサンプル数をＮ／３に決定する。つまり、ＴＴＩ２（組み合わせ番号Ｃ２）では、アンテナ１０９−１および１０９−３からそれぞれ送信されるデータシンボルに与えられる２つの循環遅延シフトサンプル数の差が最大値（Ｎ／２）となる。【００２７】
ＴＴＩ３〜６についても同様にして図２に示す組み合わせ番号Ｃ１〜６を対応させ、ＣＤＤ制御情報決定部１０１は、各アンテナから送信されるデータシンボルに与える循環遅延シフトサンプル数を決定する。【００２８】
図２に示す組み合わせを用いることで、ＣＤＤ制御情報決定部１０１では、２つの循環遅延シフトサンプル数の差が最大値（Ｎ／２）となるアンテナの組み合わせを１ＴＴＩ毎に順次変化させる。また、ＴＴＩ１〜６のいずれかの時刻で、各組み合わせ（組み合わせ番号Ｃ１〜６）に属する２つの循環遅延シフトサンプル数の差が最大となる。すなわち、循環遅延シフトサンプル数のパターンのシフト周期は６ＴＴＩとなる。これにより、チャネル利得の大きいアンテナがアンテナ１０９−１〜１０９−４のいずれの場合であっても、６ＴＴＩのうちのいずれかの時刻では、循環遅延シフトサンプル数の差が必ず最大となる。【００２９】
次に、図３に示すように、アンテナ１０９−１〜１０９−４のチャネル利得が振幅Ａ〜Ｄのいずれかである場合の遅延スプレッドの時間推移について説明する。図３では、時間フェージングのチャネル利得の変動が緩慢であり、振幅Ａ〜Ｄの大きさの順序（ランキング）が変動しない。上述の通り、遅延スプレッドは、チャネル利得がより大きいアンテナから送信されるデータシンボルに与えられる循環遅延シフトサンプル数の影響をより多く受ける。つまり、遅延スプレッドは、チャネル利得が振幅Ａであるアンテナから送信されるデータシンボルに与えられる循環遅延シフトサンプル数とチャネル利得が振幅Ｂであるアンテナから送信されるデータシンボルに与えられる循環遅延シフトサンプル数との差に応じて決まる。【００３０】
そこで、各組み合わせに属する２本のアンテナのチャネル利得が振幅Ａおよび振幅Ｂである場合のＴＴＩ１〜６（組み合わせ番号Ｃ１〜６）における遅延スプレッドの時間推移を図４に示す。図４では、循環遅延シフトサンプル数の差がＮ／２である場合を遅延スプレッド：大とし、循環遅延シフトサンプル数の差がＮ／３である場合を遅延スプレッド：中とし、循環遅延シフトサンプル数の差がＮ／６である場合を遅延スプレッド：小とする。【００３１】
アンテナ１０９−１およびアンテナ１０９−２のチャネル利得が振幅Ａおよび振幅Ｂである場合、ＴＴＩ１（組み合わせ番号Ｃ１）では、図２に示すアンテナ１０９−１およびアンテナ１０９−２の２つの循環遅延シフトサンプル数（０およびＮ／２）の差がＮ／２であるので遅延スプレッド：大となる。また、ＴＴＩ２（組み合わせ番号Ｃ２）では、アンテナ１０９−１およびアンテナ１０９−２の２つの循環遅延シフトサンプル数（０およびＮ／６）の差がＮ／６であるので遅延スプレッド：小となり、ＴＴＩ３（組み合わせ番号Ｃ３）では、アンテナ１０９−１およびアンテナ１０９−２の２つの循環遅延シフトサンプル数（０およびＮ／３）の差がＮ／３であるので遅延スプレッド：中となり、ＴＴＩ４（組み合わせ番号Ｃ４）では、アンテナ１０９−１およびアンテナ１０９−２の２つの循環遅延シフトサンプル数（Ｎ／３および０）の差がＮ／３であるので遅延スプレッド：中となり、ＴＴＩ５（組み合わせ番号Ｃ５）では、アンテナ１０９−１およびアンテナ１０９−２の２つの循環遅延シフトサンプル数（Ｎ／６および０）の差がＮ／６であるので遅延スプレッド：小となり、ＴＴＩ６（組み合わせ番号Ｃ６）では、アンテナ１０９−１およびアンテナ１０９−２の２つの循環遅延シフトサンプル数（Ｎ／３およびＮ／６）の差がＮ／６であるので遅延スプレッド：小となる。図４に示す他のアンテナの組み合わせについても同様である。【００３２】
図４に示すように、いずれのアンテナの組み合わせでも、ＴＴＩ１〜６（組み合わせ番号Ｃ１〜６）で得られる遅延スプレッドは［大、中、中、小、小、小］となる。すなわち、いずれのアンテナの組み合わせのチャネル利得が大きくなってもＴＴＩ１〜６（組み合わせ番号Ｃ１〜６）に渡って万遍なく異なる大きさの遅延スプレッドを得ることができる。つまり、いずれのアンテナの組み合わせのチャネル利得が小さくなってしまう場合でも、平均的な遅延スプレッドを得ることにより、周波数ダイバーシチ効果が常に小さくなることを防ぐことができる。【００３３】
次に、移動局が移動することによって生じるチャネル変動周期を示す最大ドップラー周期と循環遅延シフトサンプル数のシフト周期との関係について説明する。ここでは、１ＴＴＩを１ｍｓｅｃとする。【００３４】
図５に示すように、移動局２００の移動速度が３５０ｋｍ／ｈと高速である場合、最大ドップラー周期は１．６ｍｓｅｃとなる。これは、循環遅延シフトサンプル数のシフト周期である６ＴＴＩ（６ｍｓｅｃ）の約０．２７倍の長さとなる。よって、高速移動では、６ＴＴＩより短い時間間隔にて時間フェージングのチャネル利得のランキングが大きく変動する。すなわち、各アンテナから送信されるデータシンボルに与える循環遅延シフトサンプル数が固定である場合でも、通信時間内で各アンテナのチャネル利得が大きく変動するため、周波数ダイバーシチ効果を得ることができる。【００３５】
一方、図５に示すように、移動局２００の移動速度が３ｋｍ／ｈと低速である場合、最大ドップラー周期は１８１．８ｍｓｅｃとなる。これは、循環遅延シフトサンプル数のシフト周期である６ＴＴＩ（６ｍｓｅｃ）の約３０倍の長さとなる。よって、通信時間内では、図３に示すように各アンテナの時間フェージングのチャネル利得の変動が緩慢となる。しかし、図３に示すように、チャネル利得のランキングの変動が見込めない場合でも、基地局１００では、最大ドップラー周期に対して十分に短い時間間隔にて各アンテナの循環遅延シフトサンプル数をシフトし、１ＴＴＩ毎に異なる大きさの遅延スプレッドを得ることができる。これにより、シフト周期の６ＴＴＩでは、遅延スプレッドが平均化される。つまり、低速移動時のように時間フェージングのチャネル利得の変動が緩慢である場合でも、移動局２００では遅延スプレッドを大きく変動することで、高速移動時の時間フェージングのチャネル利得の変動と等価の効果を得ることができ、各アンテナのチャネル利得の大きさに依らず、周波数ダイバーシチ効果を得ることができる。【００３６】
なお、図５に示すように、移動局２００の移動速度が３０ｋｍ／ｈと中速である場合、最大ドップラー周期は１８．２ｍｓｅｃとなる。これは、循環遅延シフトサンプル数のシフト周期である６ＴＴＩ（６ｍｓｅｃ）の約３倍の長さとなる。よって、基地局１００では、循環遅延シフトサンプル数をシフトすることによる周波数ダイバーシチ効果と、時間フェージングのチャネル利得の変動を平均化することによる時間ダイバーシチ効果とが得られる。【００３７】
次に、本実施の形態に係る移動局２００の構成を図６に示す。【００３８】
図６に示す移動局２００において、無線受信部２０２−１、ＣＰ除去部２０３−１およびＦＦＴ部２０４−１はアンテナ２０１−１に対応して備えられる。また、無線受信部２０２−２、ＣＰ除去部２０３−２およびＦＦＴ部２０４−２はアンテナ２０１−２に対応して備えられる。【００３９】
無線受信部２０２−１および無線受信部２０２−２は、基地局１００（図１）からＣＤＤ送信されたマルチキャリア信号であるＯＦＤＭシンボルをアンテナ２０１−１およびアンテナ２０１−２を介してそれぞれ受信し、このＯＦＤＭシンボルに対してダウンコンバート、Ａ／Ｄ変換等の受信処理を施す。そして、無線受信部２０２−１および無線受信部２０２−２は、無線受信処理後のＯＦＤＭシンボルをＣＰ除去部２０３−１およびＣＰ除去部２０３−２にそれぞれ出力する。【００４０】
ＣＰ除去部２０３−１およびＣＰ除去部２０３−２は、無線受信部２０２−１および無線受信部２０２−２からそれぞれ入力されるＯＦＤＭシンボルからＣＰを除去する。そして、ＣＰ除去部２０３−１およびＣＰ除去部２０３−２は、ＣＰ除去後のＯＦＤＭシンボルをＦＦＴ部２０４−１およびＦＦＴ部２０４−２へそれぞれ出力する。【００４１】
ＦＦＴ部２０４−１およびＦＦＴ部２０４−２は、ＣＰ除去部２０３−１およびＣＰ除去部２０３−２からそれぞれ入力されるＯＦＤＭシンボルに対してＦＦＴ処理を施し、時間領域の信号を周波数領域の信号に変換する。そして、ＦＦＴ部２０４−１およびＦＦＴ部２０４−２は、ＦＦＴ後の信号を分離部２０５へ出力する。【００４２】
分離部２０５は、ＦＦＴ部２０４−１およびＦＦＴ部２０４−２からそれぞれ入力されるＦＦＴ後の信号をデータシンボルと、共通参照信号と、制御信号とに分離する。そして、分離部２０５は、データシンボルを復調部２０７へ出力し、共通参照信号および制御信号をチャネル推定部２０６へ出力する。【００４３】
チャネル推定部２０６は、分離部２０５から入力される共通参照信号に対して、分離部２０５から入力される制御信号により示される循環遅延シフトサンプル数に基づいてチャネル推定を行う。具体的には、まず、チャネル推定部２０６は、アンテナ毎に配置された共通参照信号を用いて、アンテナ毎のチャネル推定を行う。そして、チャネル推定部２０６は、アンテナ毎の互いに異なる循環遅延をアンテナ毎のチャネル推定値に対してそれぞれ与え、循環遅延後の共通参照信号のチャネル推定を行う。このように、チャネル推定部２０６では、共通参照信号にデータ信号と同一の循環遅延を与えることにより、共通参照信号のチャネル推定値にデータ信号のＣＤＤによるフェージングチャネルの影響を反映させることができる。そして、チャネル推定部２０６は、推定されたチャネル推定値を復調部２０７へ出力する。【００４４】
復調部２０７は、分離部２０５から入力されるデータシンボルをチャネル推定部２０６から入力されるチャネル推定値に基づいて復調する。そして、復調部２０７は、復調後のデータ信号を復号部２０８へ出力する。【００４５】
復号部２０８は、復調部２０７から入力される復調後のデータ信号を復号する。そして、復号部２０８は、復号後のデータ信号を受信データとして出力する。【００４６】
このように、本実施の形態によれば、各組み合わせに属する２つのアンテナからそれぞれ送信されるデータシンボルに与える２つの循環遅延シフトサンプル数の差が、時間の経過にともなって万遍なく変化する。つまり、各組み合わせに属する２つのアンテナからそれぞれ送信されるデータシンボルに与える２つの循環遅延シフトサンプル数の差が最大となる組み合わせが時間の経過とともに順次変化する。これにより、すべての組み合わせにおける遅延スプレッドの大きさを平均化することができる。よって、本実施の形態によれば、オープンループ送信でＣＤＤ送信する際、各アンテナの時間フェージングのチャネル利得の変動が緩慢である場合でも、一定の周波数ダイバーシチ効果を得ることができる。【００４７】
（実施の形態２）
実施の形態１では、同一のＴＴＩ内に１つの組み合わせに属する２本のアンテナから送信されるデータシンボルに与えられる２つの循環遅延シフトサンプル数の差が最大になる場合について説明した。これに対し、本実施の形態では、同一のＴＴＩ内に２本のアンテナから送信されるデータシンボルに与えられる循環遅延シフトサンプル数の差が最大となる組み合わせを複数存在させるように循環遅延シフトサンプル数を決定する場合について説明する。【００４８】
以下、本実施の形態に係るＣＤＤ制御情報決定部１０１の動作について説明する。【００４９】
ここでは、実施の形態１と同様、変調部１０３から入力されるデータシンボルのデータ長をＮシンボルとする。そして、アンテナ数が４本であるため、ＣＤＤ制御情報決定部１０１では、０〜Ｎを４等分した値であるＮ／４の整数倍の値を循環遅延シフトサンプル数として用いる。つまり、ＣＤＤ制御情報決定部１０１では、各アンテナから送信されるデータシンボルに与える循環遅延シフトサンプル数が、０、Ｎ／４、Ｎ／２、３Ｎ／４のいずれかに決定される。これにより、０とＮ／２との差がＮ／２になるだけでなく、残りのＮ／４と３Ｎ／４との差もＮ／２となる。つまり、すべての組み合わせである６通りのうち、循環遅延シフトサンプル数の差が最大値（Ｎ／２）となる２通りを同一のＴＴＩ内に含むことができる。これは、任意のアンテナの組み合わせの循環遅延シフトサンプル数の差が最大値（Ｎ／２）となることを意味する。【００５０】
そこで、ＣＤＤ制御情報決定部１０１は、同一のＴＴＩ内に、６通りの組み合わせにおいて２つのアンテナから送信されるデータシンボルに与える循環遅延シフトサンプル数の差が最大値（Ｎ／２）となる組み合わせをアンテナの数の半数である２組存在させるように、アンテナ１０９−１〜１０９−４からそれぞれ送信されるデータシンボルに与える４つの循環遅延シフトサンプル数を決定する。【００５１】
具体的には、ＣＤＤ制御情報決定部１０１は、ＴＴＩ１〜３それぞれにおける４つの循環遅延シフトサンプル数の組み合わせとして、図７に示す組み合わせ番号Ｃ１’〜３’の組み合わせをそれぞれ決定する。すなわち、ＴＴＩ１に対しては図７に示す組み合わせ番号Ｃ１’を対応させ、ＣＤＤ制御情報決定部１０１は、アンテナ１０９−１から送信されるデータシンボルに与える循環遅延シフトサンプル数を０に決定し、アンテナ１０９−２から送信されるデータシンボルに与える循環遅延シフトサンプル数をＮ／２に決定し、アンテナ１０９−３から送信されるデータシンボルに与える循環遅延シフトサンプル数をＮ／４に決定し、アンテナ１０９−４から送信されるデータシンボルに与える循環遅延シフトサンプル数を３Ｎ／４に決定する。つまり、ＴＴＩ１（組み合わせ番号Ｃ１’）では、アンテナ１０９−１および１０９−２から送信されるデータシンボルに与えられる循環遅延シフトサンプル数の差がＮ／２となるとともに、アンテナ１０９−３および１０９−４から送信されるデータシンボルに与えられる循環遅延シフトサンプル数との差がＮ／２となる。【００５２】
同様にして、ＴＴＩ２に対しては図７に示す組み合わせ番号Ｃ２’を対応させ、ＣＤＤ制御情報決定部１０１は、アンテナ１０９−１から送信されるデータシンボルに与える循環遅延シフトサンプル数を０に決定し、アンテナ１０９−２から送信されるデータシンボルに与える循環遅延シフトサンプル数をＮ／４に決定し、アンテナ１０９−３から送信されるデータシンボルに与える循環遅延シフトサンプル数をＮ／２に決定し、アンテナ１０９−４から送信されるデータシンボルに与える循環遅延シフトサンプル数を３Ｎ／４に決定する。つまり、ＴＴＩ２（組み合わせ番号Ｃ２’）では、アンテナ１０９−１および１０９−３から送信されるデータシンボルに与えられる循環遅延シフトサンプル数の差がＮ／２となるとともに、アンテナ１０９−２および１０９−４から送信されるデータシンボルに与えられる循環遅延シフトサンプル数の差とがＮ／２となる。【００５３】
ＴＴＩ３についても同様にして、ＣＤＤ制御情報決定部１０１は、図７に示す組み合わせ番号Ｃ３’を各アンテナから送信されるデータシンボルに与える循環遅延シフトサンプル数として決定する。【００５４】
図７に示すように、ＣＤＤ制御情報決定部１０１では、２つの循環遅延シフトサンプル数の差が最大値（Ｎ／２）となるアンテナの組み合わせを同一のＴＴＩ内に２組存在させる。また、ＴＴＩ１〜３のいずれかの時刻で、各組み合わせ（組み合わせ番号Ｃ１’〜３’）に属する２つの循環遅延シフトサンプル数の差が最大となる。すなわち、循環遅延シフトサンプル数のパターンのシフト周期が、実施の形態１の半分の３ＴＴＩに短縮される。【００５５】
次に、アンテナの組み合わせに属する各アンテナのチャネル利得が、実施の形態１（図３）と同様、振幅Ａおよび振幅Ｂである場合のＴＴＩ１〜３（組み合わせ番号Ｃ１’〜３’）における遅延スプレッドの時間推移を図８に示す。実施の形態１では循環遅延シフトサンプル数の差がＮ／６である場合を遅延スプレッド：小としたのに対し、図８では、循環遅延シフトサンプル数の差がＮ／４である場合を遅延スプレッド：小とする。【００５６】
アンテナ１０９−１およびアンテナ１０９−２のチャネル利得が振幅Ａおよび振幅Ｂである場合、ＴＴＩ１（組み合わせ番号Ｃ１’）では、図７に示すアンテナ１０９−１およびアンテナ１０９−２の２つの循環遅延シフトサンプル数（０およびＮ／２）の差がＮ／２であるので遅延スプレッド：大となる。また、ＴＴＩ２（組み合わせ番号Ｃ２’）では、アンテナ１０９−１およびアンテナ１０９−２の２つの循環遅延シフトサンプル数（０およびＮ／４）の差がＮ／４であるので遅延スプレッド：小となり、ＴＴＩ３（組み合わせ番号Ｃ３’）では、アンテナ１０９−１およびアンテナ１０９−２の２つの循環遅延シフトサンプル数（０およびＮ／４）の差がＮ／４であるので遅延スプレッド：小となる。図８に示す他のアンテナの組み合わせについても同様である。【００５７】
図８に示すように、いずれのアンテナの組み合わせでも、ＴＴＩ１〜３（組み合わせ番号Ｃ１’〜３’）における遅延スプレッドが［大、小、小］となる。すなわち、いずれのアンテナの組み合わせのチャネル利得が大きくなってもＴＴＩ１〜３（組み合わせ番号Ｃ１’〜３’）に渡って万遍なく異なる大きさの遅延スプレッドを得ることができる。これにより、循環遅延シフトサンプル数のシフト周期が実施の形態１の半分の時間にできる。また、図８に示す遅延スプレッド：小は、図４に示す遅延スプレッド：小よりも大きい遅延スプレッドであるため、各ＴＴＩ（各組み合わせ番号）でも、図４と比較して大きな周波数ダイバーシチ効果を得ることができる。【００５８】
また、例えば、ＴＴＩ１（図８に示す組み合わせ番号Ｃ１’）では、アンテナ１０９−１およびアンテナ１０９−２のチャネル利得が振幅Ａおよび振幅Ｂである場合と、アンテナ１０９−３およびアンテナ１０９−４のチャネル利得が振幅Ａおよび振幅Ｂである場合とで遅延スプレッド：大となる。すなわち、１ＴＴＩ内で循環遅延シフトサンプル数の差がＮ／２となり得るアンテナの組み合わせは２つとなる。これにより、実施の形態１よりも半分の時間で効率良く遅延スプレッドを平均化することができる。【００５９】
次に、最大ドップラー周期と循環遅延シフトサンプル数のシフト周期との関係について説明する。ここで、１ＴＴＩは、実施の形態１と同様、１ｍｓｅｃとする。【００６０】
図９に示すように、最大ドップラー周期と循環遅延シフトサンプル数のシフト周期との比率は実施の形態１（図５）の２倍となる。具体的には、移動局２００の移動速度が３ｋｍ／ｈと低速である場合、最大ドップラー周期は循環遅延シフトサンプル数のシフト周期の約６０倍の長さとなる。よって、通信時間内では、最大ドップラー周期に対してさらに短い時間間隔にて遅延スプレッドの平均化することができる。また、移動局２００の移動速度が３０ｋｍ／ｈと中速である場合でも、最大ドップラー周期は循環遅延シフトサンプル数のシフト周期の約６倍の長さとなり、実施の形態１よりも、循環遅延シフトサンプル数のシフトによる遅延スプレッドの平均化効果が向上する。【００６１】
このようにして、本実施の形態によれば、２つのアンテナから送信されるデータシンボルに与えられる循環遅延シフトサンプル数の差が最大となる組み合わせを同一のＴＴＩ内に複数存在させるため、実施の形態１よりも、同一のＴＴＩ内で循環遅延シフトサンプル数の差が最大となり得る組み合わせが増加し、大きい遅延スプレッドを得られる可能性が増加する。よって、本実施の形態によれば、実施の形態１と同様の効果をより短時間で得ることができる。【００６２】
さらに、本実施の形態によれば、実施の形態１よりも、基地局が移動局に通知する制御情報を削減することができる。具体的には、実施の形態１では、６パターンの情報があるので３ビット必要であるのに対し、本実施の形態では、３パターンの情報で済むので２ビットあればよい。また、基地局および移動局では、循環遅延シフトサンプル数のパターンを保持するためのメモリ量も削減することができる。【００６３】
（実施の形態３）
本実施の形態では、時間の経過とともに変化する循環遅延シフトサンプル数に応じて、基地局が、各アンテナから送信されるＯＦＤＭシンボル（データシンボルと共通参照信号とから構成）の送信電力、および、共通参照信号の送信単位時間当たりの配置密度を決定する場合について説明する。【００６４】
本実施の形態における基地局３００の構成を図１０に示す。図１０において、実施の形態１（図１）と同一の構成には同一符号を付し、説明を省略する。【００６５】
図１０に示す基地局３００において、ＣＤＤ制御情報決定部３０１は、アンテナ１０９−１〜１０９−４からそれぞれ送信されるＯＦＤＭシンボルに与える循環遅延シフトサンプル数、アンテナ１０９−１〜１０９−４からそれぞれ送信されるＯＦＤＭシンボルの送信電力、および、アンテナ１０９−１〜１０９−４からそれぞれ送信される共通参照信号の送信単位時間当たりの配置密度を決定する。具体的には、まず、ＣＤＤ制御情報決定部３０１は、実施の形態１と同様にして、循環遅延シフトサンプル数を決定する。そして、ＣＤＤ制御情報決定部３０１は、アンテナ１０９−１〜１０９−４のいずれか２つのアンテナで構成されるすべての組み合わせにおいて、２つのアンテナからそれぞれ送信されるＯＦＤＭシンボルに与える２つの循環遅延シフトサンプル数の差が最大となる組み合わせを構成する２つのアンテナから送信されるＯＦＤＭシンボルの送信電力を高くし、２つの循環遅延シフトサンプル数の差が最大となる組み合わせを構成する２つのアンテナ以外のアンテナから送信されるＯＦＤＭシンボルの送信電力を低くするように、各アンテナからそれぞれ送信されるＯＦＤＭシンボルの送信電力を決定する。また、ＣＤＤ制御情報決定部３０１は、２つの循環遅延シフトサンプル数の差が最大となる組み合わせを構成する２つのアンテナから送信される参照信号の送信単位時間当たりの配置密度を高くし、２つの循環遅延シフトサンプル数の差が最大となる組み合わせを構成する２つのアンテナ以外のアンテナから送信される参照信号の送信単位時間当たりの配置密度を低くするように、各アンテナからそれぞれ送信される共通参照信号の送信単位時間当たりの配置密度を決定する。そして、ＣＤＤ制御情報決定部３０１は、決定した各アンテナの循環遅延シフトサンプル数と、各アンテナの送信電力を示す送信電力パラメータと、各アンテナの共通参照信号の配置密度を示す配置密度パラメータとから成る制御信号を配置部１０４、循環遅延部１０５−１〜１０５−４および電力制御部３０２−１〜３０２−４へそれぞれ出力する。ＣＤＤ制御情報決定部３０１におけるＣＤＤ制御情報決定処理の詳細については後述する。【００６６】
配置部１０４は、ＣＤＤ制御情報決定部３０１から入力される制御信号に示される配置密度パラメータに従って、共通参照信号を、ＯＦＤＭシンボルを構成する複数のサブキャリアのいずれかに配置する。【００６７】
循環遅延部１０５−１〜１０５−４は、配置部１０４から入力される多重された信号のうち、複数のサブキャリアにそれぞれ配置された各データシンボルに対して、ＣＤＤ制御情報決定部３０１から入力される制御信号に示される循環遅延シフトサンプル数に従って互いに異なる循環遅延を与える。ここでは、循環遅延部１０５−１〜１０５−４は、共通参照信号に対しては循環遅延を与えない。そして、循環遅延部１０５−１〜１０５−４は、循環遅延後の信号を電力制御部３０２−１〜３０２−４へそれぞれ出力する。【００６８】
電力制御部３０２−１〜３０２−４はアンテナ１０９−１〜１０９−４にそれぞれ対応して備えられる。電力制御部３０２−１〜３０２−４は、ＣＤＤ制御情報決定部３０１から入力される制御信号に示される送信電力パラメータに従って、循環遅延部１０５−１〜１０５−４からそれぞれ入力される循環遅延後のＯＦＤＭシンボルの送信電力を制御する。すなわち、電力制御部３０２−１〜３０２−４は、ＯＦＤＭシンボルのうちのデータシンボルおよび共通参照信号の送信電力を制御する。【００６９】
一方、本実施の形態における移動局２００（図６）のチャネル推定部２０６は、分離部２０５から入力される共通参照信号に対して、分離部２０５から入力される制御信号を用いてチャネル推定を行う。具体的には、まず、チャネル推定部２０６は、制御信号により示される配置密度パラメータに基づいて、ＯＦＤＭシンボルを構成する複数のサブキャリアに配置された各アンテナの共通参照信号を特定する。そして、チャネル推定部２０６は、各アンテナの共通参照信号を用いて、アンテナ毎にチャネル推定を行う。次いで、チャネル推定部２０６は、制御信号により示される循環遅延シフトサンプル数に基づいて、アンテナ毎の互いに異なる循環遅延をアンテナ毎のチャネル推定値に対してそれぞれ与え、循環遅延後の共通参照信号のチャネル推定を行う。【００７０】
次に、ＣＤＤ制御情報決定部３０１におけるＣＤＤ制御情報決定処理の詳細について説明する。【００７１】
ここでは、実施の形態１と同様、変調部１０３から入力されるデータシンボルのデータ長をＮシンボルとする。よって、循環遅延シフトサンプル数の差は最大でＮ／２となる。つまり、ＣＤＤ制御情報決定部３０１では、各アンテナから送信されるデータシンボルに与える循環遅延シフトサンプル数が、０，Ｎ／６，Ｎ／３，Ｎ／２のいずれかに決定される。ここでは、送信単位時間ＴＴＩ１〜６それぞれにおける循環遅延シフトサンプル数の組み合わせとして、実施の形態１の図２に示す循環遅延シフトサンプル数の組み合わせ（組み合わせ番号Ｃ１〜６）を用いる。また、図１１に示す送信電力パラメータ、および、図１３に示す配置密度パラメータそれぞれの組み合わせを示す組み合わせ番号Ｃ１〜６は、送信単位時間ＴＴＩ１〜６にそれぞれ対応する。つまり、基地局３００は、ＴＴＩ１〜６それぞれにおける、循環遅延シフトサンプル数、送信電力パラメータおよび配置密度パラメータの組み合わせとして組み合わせ番号Ｃ１〜６の組み合わせをそれぞれ決定する。よって、基地局３００は、移動局２００へ送信する制御信号として組み合わせ番号Ｃ１〜６を用いる。例えば、ＴＴＩ２では、基地局３００は制御信号として組み合わせ番号Ｃ２を送信し、移動局２００は、図２、図１１、図１３の組み合わせ番号Ｃ２の各パラメータを制御情報として用いる。また、ＯＦＤＭシンボルを構成する複数のサブキャリアをいくつかにブロック化したブロック単位をサブキャリアブロック（Subcarrier Block）とする。図１４では、ＯＦＤＭシンボルを構成する１２サブキャリアを１サブキャリアブロックとする。また、送信単位時間である１ＴＴＩおよび周波数領域のブロック単位である１サブキャリアブロックにおける、アンテナ１０９−１〜１０９−４からそれぞれ送信される共通参照信号の配置密度は、アンテナ毎に差があるものとする。具体的には、１ＴＴＩにおいて、ＯＦＤＭシンボルを構成するサブキャリア（図１４に示すサブキャリアブロックを構成する１２サブキャリア）のいずれかに配置される共通参照信号の数が４個であるアンテナと、ＯＦＤＭシンボルを構成するサブキャリア（図１４に示すサブキャリアブロックを構成する１２サブキャリア）のいずれかに配置される共通参照信号の数が２個であるアンテナとが存在する。【００７２】
まず、ＣＤＤ制御情報決定部３０１は、実施の形態１と同様にして、各ＴＴＩにおける、アンテナ１０９−１〜１０９−４からそれぞれ送信されるデータシンボルに与える４つの循環遅延シフトサンプル数を決定する。例えば、図２に示すように、ＣＤＤ制御情報決定部３０１は、実施の形態１と同様にして、ＴＴＩ１〜６それぞれにおける、アンテナ１０９−１〜１０９−４からそれぞれ送信されるデータシンボルに与える４つの循環遅延シフトサンプル数の組み合わせ（組み合わせ番号Ｃ１〜６）を決定する。これにより、実施の形態１と同様、ＴＴＩ１〜６のいずれかでは、循環遅延シフトサンプル数の差が必ず最大となる。また、いずれのアンテナの組み合わせのチャネル利得が大きくなっても、実施の形態１の図４に示すように、ＴＴＩ１〜６（組み合わせ番号Ｃ１〜６）に渡って万遍なく異なる大きさの遅延スプレッドを得ることができる。【００７３】
次いで、ＣＤＤ制御情報決定部３０１は、図２に示す循環遅延シフトサンプル数の組み合わせに基づいて、アンテナ１０９−１〜１０９−４からそれぞれ送信されるＯＦＤＭシンボルの送信電力を決定する。すなわち、ＣＤＤ制御情報決定部３０１は、２本のアンテナからそれぞれ送信されるデータシンボルに与える２つの循環遅延シフトサンプル数の差が最大のＮ／２となる組み合わせを構成する２つのアンテナから送信されるＯＦＤＭシンボルの送信電力を高くし、２本のアンテナからそれぞれ送信されるデータシンボルに与える２つの循環遅延シフトサンプル数の差が最大のＮ／２となる組み合わせを構成する２つのアンテナ以外のアンテナから送信されるＯＦＤＭシンボルの送信電力を低くするように、アンテナ１０９−１〜１０９−４からそれぞれ送信されるＯＦＤＭシンボルの送信電力パラメータを決定する。【００７４】
ここで、ＴＴＩ１〜６それぞれにおける送信電力パラメータの組み合わせ（組み合わせ番号Ｃ１〜６）を図１１に示す。図１１では、図１２左側に示す送信電力制御前の各アンテナの送信電力に対して、所定量だけ送信電力を高くする場合の送信電力パラメータを‘高’とする。一方、送信電力を高くする場合と同一の所定量だけ送信電力を低くする場合の送信電力パラメータを‘低’とする。すなわち、送信電力制御前の総送信電力と送信電力制御後の総送信電力とは同一となる。【００７５】
よって、ＴＴＩ１（組み合わせ番号Ｃ１）では、図２に示すアンテナ１０９−１およびアンテナ１０９−２の２つの循環遅延シフトサンプル数（０およびＮ／２）の差がＮ／２であるので、ＣＤＤ制御情報決定部３０１は、図１１に示すように、アンテナ１０９−１およびアンテナ１０９−２の送信電力パラメータを‘高’に決定する。一方、ＣＤＤ制御情報決定部３０１は、アンテナ１０９−１およびアンテナ１０９−２以外のアンテナである、アンテナ１０９−３およびアンテナ１０９−４の送信電力パラメータを‘低’に決定する。【００７６】
同様に、ＴＴＩ２（組み合わせ番号Ｃ２）では、図２に示すアンテナ１０９−１およびアンテナ１０９−３の２つの循環遅延シフトサンプル数（０およびＮ／２）の差がＮ／２であるので、ＣＤＤ制御情報決定部３０１は、図１１に示すように、アンテナ１０９−１およびアンテナ１０９−３の送信電力パラメータを‘高’に決定する。一方、ＣＤＤ制御情報決定部３０１は、アンテナ１０９−１およびアンテナ１０９−３以外のアンテナである、アンテナ１０９−２およびアンテナ１０９−４の送信電力パラメータを‘低’に決定する。ＴＴＩ３〜６（組み合わせ番号Ｃ３〜６）についても同様にして各アンテナから送信されるＯＦＤＭシンボルの送信電力パラメータを決定する。【００７７】
そして、図１０に示す電力制御部３０２−１〜３０２−４は、図１１に示す送信電力パラメータに従ってＯＦＤＭシンボルの送信電力を制御する。例えば、ＴＴＩ１（組み合わせ番号Ｃ１）では、図１１に示すように、アンテナ１０９−１およびアンテナ１０９−２の送信電力パラメータは‘高’である。よって、図１２右側に示すように、アンテナ１０９−１およびアンテナ１０９−２にそれぞれ対応する電力制御部３０２−１および電力制御部３０２−２は、ＯＦＤＭシンボルの送信電力を高くする。一方、図１１に示すように、アンテナ１０９−３およびアンテナ１０９−４の送信電力パラメータは‘低’である。図１２右側に示すように、アンテナ１０９−３およびアンテナ１０９−４にそれぞれ対応する電力制御部３０２−３および電力制御部３０２−４は、ＯＦＤＭシンボルの送信電力を低くする。ＴＴＩ２〜６（組み合わせ番号Ｃ２〜６）についても同様である。【００７８】
上述したように、各アンテナのチャネル利得が大きく、かつ、循環遅延シフトサンプル数の差が大きい場合、遅延スプレッドは大きくなる。よって、基地局３００が循環遅延シフトサンプル数の差が最大となるアンテナから送信されるＯＦＤＭシンボルの送信電力を高くすることで、移動局２００ではより大きな遅延スプレッドを得ることができる。つまり、チャネル利得の大きいアンテナがアンテナ１０９−１〜１０９−４のいずれの場合であっても、ＴＴＩ１〜６（組み合わせ番号Ｃ１〜６）のいずれかでは、より大きな遅延スプレッドを得ることができる。【００７９】
次いで、ＣＤＤ制御情報決定部３０１は、図２に示す循環遅延シフトサンプル数の組み合わせに基づいて、アンテナ１０９−１〜１０９−４からそれぞれ送信される共通参照信号の配置密度を決定する。すなわち、ＣＤＤ制御情報決定部３０１は、２本のアンテナからそれぞれ送信されるデータシンボルに与える２つの循環遅延シフトサンプル数の差が最大のＮ／２となる組み合わせを構成する２つのアンテナから送信される共通参照信号の１ＴＴＩ当たりの配置密度を高くし、２本のアンテナからそれぞれ送信されるデータシンボルに与える２つの循環遅延シフトサンプル数の差が最大のＮ／２となる組み合わせを構成する２つのアンテナ以外のアンテナから送信される共通参照信号の１ＴＴＩ当たりの配置密度を低くするように、アンテナ１０９−１〜１０９−４からそれぞれ送信される共通参照信号の１ＴＴＩ当たりの配置密度パラメータを決定する。【００８０】
ここで、ＴＴＩ１〜６それぞれにおける配置密度パラメータの組み合わせ（組み合わせ番号Ｃ１〜６）を図１３に示す。図１３では、共通参照信号の配置密度を高くする場合の配置密度パラメータを‘高’とする。一方、共通参照信号の配置密度を低くする場合の配置密度パラメータを‘低’とする。よって、配置密度パラメータが‘高’の場合、４個の共通参照信号がＯＦＤＭシンボルを構成するサブキャリアのいずれかに配置され、配置密度パラメータが‘低’の場合、２個の共通参照信号がＯＦＤＭシンボルを構成するサブキャリアのいずれかに配置される。【００８１】
よって、ＴＴＩ１（組み合わせ番号Ｃ１）では、図２に示すアンテナ１０９−１およびアンテナ１０９−２の２つの循環遅延シフトサンプル数（０およびＮ／２）の差がＮ／２であるので、ＣＤＤ制御情報決定部３０１は、図１３に示すように、アンテナ１０９−１およびアンテナ１０９−２の配置密度パラメータを‘高’に決定する。一方、ＣＤＤ制御情報決定部３０１は、アンテナ１０９−１およびアンテナ１０９−２以外のアンテナである、アンテナ１０９−３およびアンテナ１０９−４の配置密度パラメータを‘低’に決定する。【００８２】
同様に、ＴＴＩ２（組み合わせ番号Ｃ２）では、図２に示すアンテナ１０９−１およびアンテナ１０９−３の２つの循環遅延シフトサンプル数（０およびＮ／２）の差がＮ／２であるので、ＣＤＤ制御情報決定部３０１は、図１３に示すように、アンテナ１０９−１およびアンテナ１０９−３の配置密度パラメータを‘高’に決定する。一方、ＣＤＤ制御情報決定部３０１は、アンテナ１０９−１およびアンテナ１０９−３以外のアンテナである、アンテナ１０９−２およびアンテナ１０９−４の配置密度パラメータを‘低’に決定する。ＴＴＩ３〜６（組み合わせ番号Ｃ３〜６）についても同様にして各アンテナから送信される共通参照信号の配置密度を決定する。【００８３】
そして、図１０に示す配置部１０４は、図１３に示す配置密度パラメータに従って共通参照信号を複数のサブキャリアのいずれかに配置する。例えば、ＴＴＩ１（組み合せ番号Ｃ１）では、図１３に示すように、アンテナ１０９−１およびアンテナ１０９−２の配置密度パラメータは‘高’である。よって、配置部１０４は、図１４左側に示すように、アンテナ１０９−１から送信される共通参照信号Ｒ１、および、アンテナ１０９−２から送信される共通参照信号Ｒ２を、ＯＦＤＭシンボルを構成するサブキャリア（１サブキャリアブロックを構成する１２サブキャリア）のいずれか４箇所にそれぞれ配置する。また、図１３に示すように、アンテナ１０９−３およびアンテナ１０９−４の配置密度パラメータは‘低’である。よって、配置部１０４は、図１４左側に示すように、アンテナ１０９−３から送信される共通参照信号Ｒ３、および、アンテナ１０９−４から送信される共通参照信号Ｒ４を、ＯＦＤＭシンボルを構成するサブキャリア（１サブキャリアブロックを構成する１２サブキャリア）のいずれか２箇所にそれぞれ配置する。【００８４】
また、ＴＴＩ２（組み合わせ番号Ｃ２）では、図１３に示すように、アンテナ１０９−１およびアンテナ１０９−３の配置密度パラメータは‘高’である。よって、配置部１０４は、図１４右側に示すように、アンテナ１０９−１から送信される共通参照信号Ｒ１、および、アンテナ１０９−３から送信される共通参照信号Ｒ３を、ＯＦＤＭシンボルを構成するサブキャリア（１サブキャリアブロックを構成する１２サブキャリア）のいずれか４箇所にそれぞれ配置する。また、図１３に示すように、アンテナ１０９−２およびアンテナ１０９−４の配置密度パラメータは‘低’である。よって、配置部１０４は、図１４右側に示すように、アンテナ１０９−２から送信される共通参照信号Ｒ２、および、アンテナ１０９−４から送信される共通参照信号Ｒ４を、ＯＦＤＭシンボルを構成するサブキャリア（１サブキャリアブロックを構成する１２サブキャリア）のいずれか２箇所に配置する。ＴＴＩ３〜６（組み合わせ番号Ｃ３〜６）についても同様である。【００８５】
このように、ＴＴＩ１〜６（組み合わせ番号Ｃ１〜６）において、上述したＯＦＤＭシンボルの送信電力制御と同様にして、循環遅延シフトサンプル数の差が最大のＮ／２となる組み合わせを構成する２つのアンテナからそれぞれ送信される共通参照信号の配置密度が高くなる。これにより、循環遅延シフトサンプル数の差が最大のＮ／２となる組み合わせを構成する２つのアンテナに対して、共通参照信号の配置密度が高くなるように制御することで、より多くの共通参照信号を配置することができる。また、循環遅延シフトサンプル数の差が最大のＮ／２となる組み合わせを構成する２つのアンテナに対して、共通参照信号の送信電力が高くなるように制御することで、より高い送信電力を割り当てることができる。そのため、移動局２００（図６）では良好な受信品質の共通参照信号をより多く受信することができる。よって、移動局２００のチャネル推定部２０６は、より多くの良好な受信品質の共通参照信号を用いてチャネル推定値を測定することができるため、チャネル推定精度を向上させることができる。【００８６】
このようにして、本実施の形態によれば、循環遅延シフトサンプル数の差が最大となる組み合わせを構成するアンテナから送信されるマルチキャリア信号の送信電力を高くし、かつ、そのアンテナから送信される共通参照信号の送信単位時間当たりの配置密度を高くする。これにより、チャネル利得が大きいアンテナでは、さらに大きい遅延スプレッドを一定の時間間隔で得ることができるため、周波数ダイバーシチ効果をさらに向上させることができる。さらに、送信電力が大きいアンテナから送信される共通参照信号の送信単位当たりの配置密度が高くなるため、移動局ではチャネル推定精度をより向上することができる。【００８７】
なお、本実施の形態では、各アンテナからそれぞれ送信される共通参照信号の配置密度が、アンテナ毎に差がある場合について説明したが、各アンテナからそれぞれ送信される共通参照信号の配置密度が、均一である場合には、配置部１０４による配置密度パラメータに従った配置処理は行わないものとする。【００８８】
また、本実施の形態では、配置部１０４による共通参照信号の配置密度制御と電力制御部３０２−１〜３０２−４による共通参照信号の電力制御とを同時に実施する場合について説明した。しかし、本発明は、配置部１０４による共通参照信号の配置密度制御と電力制御部３０２−１〜３０２−４による共通参照信号の電力制御とを、それぞれ独立に実施してもよい。例えば、配置部１０４による共通参照信号の配置密度制御のみを実施する場合、移動局２００のチャネル推定部２０６（図６）は、チャネル推定精度に支配的な影響を与える、循環遅延シフトサンプル数の差が最大のＮ／２となる組み合わせを構成する２つのアンテナからそれぞれ送信されるより多くの共通参照信号を用いてチャネル推定することができる。そのため、チャネル推定部２０６は、チャネル推定精度を向上させることができる。また、電力制御部３０２−１〜３０２−４の共通参照信号の電力制御のみを実施する場合、チャネル推定部２０６は、チャネル推定精度に支配的な影響を与える、循環遅延シフトサンプル数の差が最大のＮ／２となる組み合わせを構成する２つのアンテナのチャネル利得を向上させることにより、循環遅延後の共通参照信号のチャネル推定精度を向上させることができる。【００８９】
（実施の形態４）
本実施の形態では、さらに、同一の送信単位時間において、２つのアンテナからそれぞれ送信されるデータシンボルに与える２つの循環遅延シフトサンプル数の差が最大となる組み合わせを異なる周波数領域で変化させる場合について説明する。【００９０】
以下、本実施の形態に係るＣＤＤ制御情報決定部３０１（図１０）の動作について説明する。【００９１】
ここでは、実施の形態３と同様、変調部１０３から入力されるデータシンボルのデータ長をＮシンボルとする。また、図１５および図１６に示す組み合わせ番号Ｃ１〜６は、実施の形態３と同様、図２、図１１、図１３の組み合わせ番号Ｃ１〜６にそれぞれ対応する。また、時間領域の送信単位時間を１スロット（１ＴＴＩ）とする。また、周波数領域では、隣接するサブキャリアは、いくつかまとめてブロック化したサブキャリアブロック単位に分けられる。なお、サブキャリアブロックは、リソースブロック（ＲＢ：Resource Block）、サブキャリアグループと称されることもある。また、図１６に示すように、１スロットと１サブキャリアブロックとから成るブロックをＣＤＤ変更単位とする。また、各ＣＤＤ変更単位には、アンテナ１０９−１〜１０９−４からそれぞれ送信される共通参照信号Ｒ１〜４が１個以上含まれる。【００９２】
本実施の形態に係るＣＤＤ制御情報決定部３０１は、同一のスロットにおいて、２つのアンテナからそれぞれ送信されるデータシンボルに与える２つの循環遅延シフトサンプル数の差が最大となる組み合わせを異なるサブキャリアブロックで変化させるように、複数の循環遅延シフトサンプル数を決定する。【００９３】
例えば、図１５に示すように、サブキャリアブロック（以下、‘ＳＢ’という）１では、ＣＤＤ制御情報決定部３０１は、組み合わせ番号Ｃ１に基づいて制御情報を決定する。すなわち、ＣＤＤ制御情報決定部３０１は、例えばアンテナ１０９−１に対して、図２より循環遅延シフトサンプル数を０に決定し、図１１より送信電力パラメータを‘高’に決定し、図１３より配置密度パラメータを‘高’に決定する。アンテナ１０９−２〜１０９−４についても同様である。【００９４】
同様にして、図１５に示すように、ＳＢ２では、ＣＤＤ制御情報決定部３０１は、組み合わせ番号Ｃ２に基づいて制御情報を決定する。すなわち、ＣＤＤ制御情報決定部３０１は、例えばアンテナ１０９−１に対して、図２より循環遅延シフトサンプル数を０に決定し、図１１より送信電力パラメータを‘高’に決定し、図１３より配置密度パラメータを‘高’に決定する。アンテナ１０９−２〜１０９−４についても同様である。【００９５】
また、ＳＢ３〜６についても同様にして、ＣＤＤ制御情報決定部３０１は、組み合わせ番号Ｃ３〜６に基づいて、循環遅延シフトサンプル数、送信電力パラメータ、および、配置密度パラメータを決定する。【００９６】
このようにして、ＣＤＤ制御情報決定部３０１は、アンテナ１０９−１〜１０９−４に対する、循環遅延シフトサンプル数と送信電力パラメータと配置密度パラメータとから成る制御情報を、同一スロットでは異なる周波数領域で順次変化させ、かつ、同一サブキャリアブロックでは、時間の経過とともに順次変化させるように決定する。【００９７】
例えば、図１６に示すように、ＣＤＤ制御情報決定部３０１は、スロット１とＳＢ１とから成るＣＤＤ変更単位では、アンテナ１０９−１〜１０９−４に対する制御情報を組み合わせ番号Ｃ６に対応する制御情報に決定し、スロット１とＳＢ２とから成るＣＤＤ変更単位では、アンテナ１０９−１〜１０９−４に対する制御情報を組み合わせ番号Ｃ５に対応する制御情報に決定する。スロット１とＳＢ３〜６それぞれとから成るＣＤＤ変更単位についても同様である。【００９８】
同様にして、図１６に示すように、ＣＤＤ制御情報決定部３０１は、スロット２とＳＢ１とから成るＣＤＤ変更単位では、アンテナ１０９−１〜１０９−４に対する制御情報を組み合わせ番号Ｃ１に対応する制御情報に決定し、スロット２とＳＢ２とから成るＣＤＤ変更単位では、アンテナ１０９−１〜１０９−４に対する制御情報を組み合わせ番号Ｃ６に対応する制御情報に決定する。スロット２とＳＢ３〜６それぞれとから成るＣＤＤ変更単位についても同様である。【００９９】
スロット３〜６についても同様にして、ＣＤＤ制御情報決定部３０１は、各スロットとＳＢ１〜６それぞれとから成るＣＤＤ変更単位において、アンテナ１０９−１〜１０９−４に対する制御情報を決定する。【０１００】
図１６に示すように、同一スロットの異なるＣＤＤ変更単位（例えば、スロット１のＳＢ１〜ＳＢ６）では、互いに異なる組み合わせ番号に対応する制御情報が決定され、同一ＳＢの異なるＣＤＤ変更単位（例えば、ＳＢ１のスロット１〜スロット６）では、互いに異なる組み合わせ番号に対応する制御情報が決定される。これにより、時間領域では、実施の形態３と同様、各アンテナの時間フェージングのチャネル利得の変動が緩慢である場合でも、一定の時間間隔（図１６に示すスロット１〜スロット６）において、時間フェージングのチャネル利得の変動を平均化することができる。同様に、周波数領域では、各アンテナの周波数フェージングのチャネル利得の変動が緩慢である場合でも、一定の周波数帯域（ＳＢ１〜ＳＢ６）において、周波数フェージングのチャネル利得の変動を平均化することができる。よって、オープンループ送信でＣＤＤ送信する際、各アンテナの時間フェージングのチャネル利得の変動が緩慢である場合のみでなく、各アンテナの周波数フェージングのチャネル利得の変動が緩慢である場合でも、遅延スプレッドの平均化効果を向上することができ、一定の周波数ダイバーシチ効果をさらに向上することができる。【０１０１】
また、アンテナ１０９−１〜１０９−４それぞれから送信される共通参照信号Ｒ１〜４は、いずれのＣＤＤ変更単位内にも少なくとも１つ以上配置されている。すなわち、図１６に示す一定の時間間隔（スロット１〜スロット６）および一定の周波数帯域（ＳＢ１〜ＳＢ６）では、共通参照信号Ｒ１〜４が万遍なく配置される。よって、一定の時間間隔および一定の周波数帯域に渡って、移動局２００（図６）では、均一なチャネル推定値を得ることができる。さらに、ＣＤＤ変更単位内において、循環遅延シフトサンプル数の差が最大のＮ／２となる組み合わせを構成する２つのアンテナからそれぞれ送信される共通参照信号の配置密度を高くすることにより、移動局２００（図６）におけるチャネル推定精度を向上させることができる。【０１０２】
このようにして、本実施の形態によれば、時間領域および周波数領域でのフェージングのチャネル利得を平均化することができる。これにより、移動局では、遅延スプレッドの平均化効果を向上することができるため、周波数ダイバーシチ効果をさらに向上することができる。【０１０３】
（実施の形態５）
本実施の形態では、マルチメディア・ブロードキャスト／マルチキャスト・サービス（Multimedia Broadcast/Multicast Service：ＭＢＭＳ）を用いる場合について説明する。【０１０４】
図１７に示すように、ＭＢＭＳでは、複数の基地局（基地局Ａおよび基地局Ｂ）が、セル境界に位置する移動局に対して、同一周波数帯域を用いて、同時に同一データを送信する。これにより、移動局は、複数の基地局からの同一データを合成（サイトダイバーシチ合成）することでサイトダイバーシチ効果を得ることができ、受信品質を改善することができる。【０１０５】
ここで、図１７に示すように、基地局Ａからのチャネル利得をＨａとし、基地局Ｂからのチャネル利得をＨｂとする。なお、ＨａおよびＨｂはそれぞれ複素数である。例えば、ＨａとＨｂとがほぼ同一となる場合（Ｈａ＝Ｈｂ）、すなわち、ＨａとＨｂとの相関値が１に近くなる場合、移動局では、サイトダイバーシチ効果が得られなくなる。また、Ｈａの振幅とＨｂの振幅とがほぼ同一となり、Ｈａの位相とＨｂの位相とが逆位相になる場合（Ｈａ＝−Ｈｂ）、すなわち、ＨａとＨｂとの相関値が−１に近くなる場合、移動局では、互いのチャネル利得が相殺され、得られるチャネル利得が非常に小さくなってしまう。【０１０６】
よって、基地局Ａおよび基地局Ｂのチャネル利得の変動が緩慢である場合、サイトダイバーシチ効果が得られない状態、または、得られるチャネル利得が非常に小さい状態が継続してしまう可能性がある。これにより、遅延スプレッドが小さい状態が継続してしまい、周波数ダイバーシチ効果が得られなくなってしまう。【０１０７】
そこで、本実施の形態に係る基地局３００（図１０）のＣＤＤ制御情報決定部３０１は、同一送信単位時間において、２つのアンテナからそれぞれ送信されるデータシンボルに与える２つの循環遅延シフトサンプル数の差が最大となる組み合わせが自局と他の基地局との間で互いに異なるように、複数の循環遅延シフトサンプル数を決定する。ＣＤＤ制御情報決定部３０１における制御情報決定方法については後述する。【０１０８】
循環遅延部１０５−１〜１０５−４は、配置部１０４から入力される多重された信号に対して、ＣＤＤ制御情報決定部３０１から入力される制御信号に示される循環遅延シフトサンプル数に従って互いに異なる循環遅延を与える。ここでは、循環遅延部１０５−１〜１０５−４は、データシンボルおよび共通参照信号の双方に対して循環遅延を与える。そして、循環遅延部１０５−１〜１０５−４は、循環遅延後の信号を電力制御部３０２−１〜３０２−４へそれぞれ出力する。【０１０９】
一方、本実施の形態における移動局２００（図６）のチャネル推定部２０６は、分離部２０５から入力される共通参照信号に対して、分離部２０５から入力される制御信号に基づいてチャネル推定を行う。ここで、共通参照信号には、基地局３００で循環遅延が与えられている。そのため、チャネル推定部２０６は、アンテナ毎の互いに異なる循環遅延をアンテナ毎のチャネル推定値に対してそれぞれ与えることなく、循環遅延後の共通参照信号のチャネル推定を行うことができる。【０１１０】
次に、本実施の形態に係るＣＤＤ制御情報決定部３０１における制御情報決定方法について説明する。【０１１１】
（制御情報決定方法１）
本制御情報決定方法では、各基地局のＣＤＤ制御情報決定部３０１は、自局と他の基地局との間で互いに異なる組み合わせパターンを用いて、複数の循環遅延シフトサンプル数を決定する。【０１１２】
ここでは、図１７に示す基地局ＡのＣＤＤ制御情報決定部３０１は、２つのアンテナからそれぞれ送信されるデータシンボルに与える２つの循環遅延シフトサンプル数の差が最大となる組み合わせを時間の経過とともに順次変化させた複数の組み合わせ（組み合わせ番号Ｃ１〜６）から成る組み合わせパターンＡを記憶する。また、図１７に示す基地局ＢのＣＤＤ制御情報決定部３０１は、組み合わせパターンＡと異なる複数の組み合わせ（組み合わせ番号Ｃ１〜６）から成る組み合わせパターンＢを記憶する。【０１１３】
また、図１７に示す基地局ＡのＣＤＤ制御情報決定部３０１は、実施の形態３と同様、図２に示す循環遅延シフトサンプル数の組み合わせパターン、図１１に示す送信電力パラメータの組み合わせパターン、および、図１３に示す配置密度の組み合わせパターンを組み合わせパターンＡとして用いる。一方、図１７に示す基地局ＢのＣＤＤ制御情報決定部３０１は、図１８Ａに示す循環遅延シフトサンプル数の組み合わせパターン、図１８Ｂに示す送信電力パラメータの組み合わせパターン、および、図１８Ｃに示す配置密度の組み合わせパターンを組み合わせパターンＢとして用いる。【０１１４】
よって、図１７に示す基地局ＡのＣＤＤ制御情報決定部３０１は、図１９に示すように、スロット１〜６において、組み合わせパターンＡ（図２、図１１および図１３）の組み合わせ番号Ｃ１〜６に対応する制御情報をそれぞれ決定する。これに対し、図１７に示す基地局ＢのＣＤＤ制御情報決定部３０１は、図１９に示すように、スロット１〜６において、組み合わせパターンＡと異なる組み合わせパターンＢ（図１８Ａ、図１８Ｂおよび図１８Ｃ）の組み合わせ番号Ｃ１〜６に対応する制御情報をそれぞれ決定する。すなわち、実施の形態３と同様、各基地局では、２つのアンテナからそれぞれ送信されるデータシンボルに与える２つの循環遅延シフトサンプル数の差が最大となる組み合わせを時間の経過とともに順次変化させる。このため、基地局Ａまたは基地局Ｂから送信されるデータシンボルを受信する移動局２００（図６）では、実施の形態３と同様の効果を得ることができる。【０１１５】
ここで、基地局Ａの循環遅延シフトサンプル数の組み合わせパターンＡ（図２）と基地局Ｂの循環遅延シフトサンプル数の組み合わせパターンＢ（図１８Ａ）とを比較する。スロット１（組み合わせ番号Ｃ１）では、図２に示すように、基地局Ａにおいて、循環遅延シフトサンプル数の差が最大のＮ／２となる組み合わせを構成する２つのアンテナは、アンテナ１０９−１およびアンテナ１０９−２である。これに対し、図１８Ａに示すように、基地局Ｂにおいて、循環遅延シフトサンプル数の差が最大のＮ／２となる組み合わせを構成する２つのアンテナは、アンテナ１０９−１およびアンテナ１０９−４である。同様に、スロット２（組み合わせ番号Ｃ２）では、図２に示すように、基地局Ａにおいて、循環遅延シフトサンプル数の差が最大のＮ／２となる組み合わせを構成する２つのアンテナは、アンテナ１０９−１およびアンテナ１０９−３である。これに対し、図１８Ａに示すように、基地局Ｂにおいて、循環遅延シフトサンプル数の差が最大のＮ／２となる組み合わせを構成する２つのアンテナは、アンテナ１０９−３およびアンテナ１０９−４である。つまり、同一スロット（組み合わせ番号）では、２つのアンテナからそれぞれ送信されるデータシンボルに与える２つの循環遅延シフトサンプル数の差が最大のＮ／２となる組み合わせを構成するアンテナは、基地局Ａと基地局Ｂとで互いに異なる。スロット３〜６（組み合わせ番号Ｃ３〜６）についても同様である。【０１１６】
このように、基地局Ａおよび基地局Ｂでは、同一スロットにおいて、２つの循環遅延シフトサンプル数の差が最大となるアンテナの組み合わせが異なる。そのため、各スロットにおけるチャネル利得Ｈａの変動とチャネル利得Ｈｂの変動とは異なる。これより、基地局Ａ（組み合わせパターンＡ）および基地局Ｂ（組み合わせパターンＢ）の同一スロットでのチャネル利得が互いに異なる可能性が増加する。よって、移動局２００（図６）は、サイトダイバーシチ合成することで、スロット１〜６（組み合わせ番号Ｃ１〜６）でのチャネル利得の変動を平均化することができる。つまり、移動局２００では、サイトダイバーシチ効果が得られない状態、または、得られるチャネル利得が非常に小さい状態になる可能性を低くすることができる。【０１１７】
このようにして、本制御情報決定方法によれば、各基地局は自局と他の基地局との間で互いに異なる組み合わせパターンを用いて、複数の循環遅延シフトサンプル数を決定する。そのため、移動局が各基地局から同時に送信された同一のデータシンボルをサイトダイバーシチ合成することで各基地局からのチャネル利得の変動が平均化されるため、遅延スプレッドの平均化効果を向上することができる。よって、移動局では、実施の形態３の効果に加え、サイトダイバーシチ合成による遅延スプレッドの平均化効果が得られるため、周波数ダイバーシチ効果をさらに向上させることができ、受信品質を向上させることができる。【０１１８】
また、本制御情報決定方法では、時間の経過とともに組み合わせ（組み合わせ番号Ｃ１〜６）が順次変化する場合について説明した。しかし、本制御情報決定方法では、実施の形態４と同様、ＣＤＤ制御情報決定部３０１は、図２０に示すように、時間領域および周波数領域において、異なる組み合わせ（組み合わせ番号Ｃ１〜６）を用いて制御情報を決定してもよい。これにより、時間ダイバーシチ効果のみでなく、周波数ダイバーシチ効果も得ることができる。【０１１９】
（制御情報決定方法２）
本制御情報決定方法では、各基地局のＣＤＤ制御情報決定部３０１は、同一の組み合わせパターンを用いて、複数の循環遅延シフトサンプル数を決定する。【０１２０】
ここでは、各基地局のＣＤＤ制御情報決定部３０１は、２つのアンテナからそれぞれ送信されるデータシンボルに与える２つの循環遅延シフトサンプル数の差が最大となるアンテナの組み合わせを時間の経過とともに順次変化させた複数の組み合わせ（組み合わせ番号Ｃ１〜６）から成る、同一の組み合わせパターンを記憶する。例えば、図１７に示す各基地局のＣＤＤ制御情報決定部３０１は、実施の形態３と同様、図２に示す循環遅延シフトサンプル数の組み合わせパターン、図１１に示す送信電力パラメータの組み合わせパターン、および、図１３に示す配置密度の組み合わせパターンを用いる。【０１２１】
ただし、各基地局のＣＤＤ制御情報決定部３０１は、同一の組み合わせパターンのうち、同一の組み合わせを、自局と他の基地局との間で互いに異なる送信単位時間で用いて、複数の循環遅延シフトサンプル数を決定する。【０１２２】
例えば、各基地局のＣＤＤ制御情報決定部３０１は、同一の組み合わせパターンに対して、基地局毎に異なる巡回シフトを施した組み合わせパターンをそれぞれ用いる。具体的には、図１７に示す基地局ＡのＣＤＤ制御情報決定部３０１は、図２１に示すように、スロット１〜６において、組み合わせ番号Ｃ１〜６をそれぞれ用いて、制御情報を決定する。これに対し、図１７に示す基地局ＢのＣＤＤ制御情報決定部３０１は、図２１に示すように、スロット１〜６において、基地局Ａで用いる組み合わせパターンを３スロット分だけ巡回シフトさせた組み合わせパターンを用いる。具体的には、図１７に示す基地局ＢのＣＤＤ制御情報決定部３０１は、図２１に示すように、スロット１〜６において、組み合わせ番号Ｃ４〜６、Ｃ１〜３をそれぞれ用いて、制御情報を決定する。【０１２３】
これにより、基地局Ａでは、組み合わせ番号Ｃ１の制御情報がスロット１で用いられるのに対し、基地局Ｂでは、組み合わせ番号Ｃ１の制御情報がスロット４で用いられる。また、基地局Ａでは、組み合わせ番号Ｃ２の制御情報がスロット２で用いられるのに対し、基地局Ｂでは、組み合わせ番号Ｃ２の制御情報がスロット５で用いられる。つまり、図２１に示す基地局ＡのＣＤＤ制御情報決定部３０１および基地局ＢのＣＤＤ制御情報決定部３０１は、同一の組み合わせ番号の制御情報を、異なるスロットで用いる。組み合わせ番号Ｃ３〜６についても同様である。【０１２４】
ここで、図２１に示す基地局Ａの循環遅延シフトサンプル数の組み合わせパターンと基地局Ｂの循環遅延シフトサンプル数の組み合わせパターンとを比較する。図２に示すように、基地局Ａにおいて、スロット１（組み合わせ番号Ｃ１）では、循環遅延シフトサンプル数の差が最大のＮ／２となる組み合わせを構成する２つのアンテナは、アンテナ１０９−１およびアンテナ１０９−２となる。これに対し、基地局Ｂにおいて、スロット１（組み合わせ番号Ｃ４）では、循環遅延シフトサンプル数の差が最大のＮ／２となる組み合わせを構成する２つのアンテナは、アンテナ１０９−２およびアンテナ１０９−３となる。同様に、図２に示すように、基地局Ａにおいて、スロット２（組み合わせ番号Ｃ２）では、循環遅延シフトサンプル数の差が最大のＮ／２となる組み合わせを構成する２つのアンテナは、アンテナ１０９−１およびアンテナ１０９−３となる。これに対し、基地局Ｂにおいて、スロット２（組み合わせ番号Ｃ５）では、循環遅延シフトサンプル数の差が最大のＮ／２となる組み合わせを構成する２つのアンテナは、アンテナ１０９−２およびアンテナ１０９−４となる。つまり、制御情報決定方法１と同様、同一スロットでは、２つのアンテナからそれぞれ送信されるデータシンボルに与える２つの循環遅延シフトサンプル数の差が最大のＮ／２となる組み合わせを構成するアンテナは、基地局Ａと基地局Ｂとで互いに異なる。スロット３〜６についても同様である。【０１２５】
これにより、制御情報決定方法１と同様、各スロットにおけるチャネル利得Ｈａの変動とチャネル利得Ｈｂの変動とは異なる。そのため、移動局２００（図６）は、サイトダイバーシチ合成することで、制御情報決定方法１と同様、スロット１〜６（組み合わせ番号Ｃ１〜６）でのチャネル利得の変動を平均化することができる。【０１２６】
よって、本制御情報決定方法によれば、各基地局が同一の組み合わせパターンを用いる場合でも、制御情報決定方法１と同様の効果を得ることができる。【０１２７】
また、本制御情報決定方法では、時間の経過とともに組み合わせ（組み合わせ番号Ｃ１〜６）が順次変化する場合について説明した。しかし、本制御情報決定方法では、実施の形態４と同様、ＣＤＤ制御情報決定部３０１は、図２２に示すように、時間領域および周波数領域において、異なる組み合わせ（組み合わせ番号Ｃ１〜６）を用いて制御情報を決定してもよい。これにより、時間ダイバーシチ効果のみでなく、周波数ダイバーシチ効果も得ることができる。【０１２８】
以上、制御情報決定方法１および２について説明した。【０１２９】
このようにして、本実施の形態によれば、ＭＢＭＳを用いる場合に、各基地局のチャネル利得の変動が緩慢である場合でも、遅延スプレッドが小さい状態が継続することなく、時間ダイバーシチ効果と周波数ダイバーシチ効果とを同時に得ることができる。【０１３０】
以上、本発明の各実施の形態について説明した。【０１３１】
なお、ＣＤＤはＣＳＤ（Cyclic Shift Diversity）と称されることがある。また、ＣＰはガードインターバル（ＧＩ：Guard Interval）と称されることがある。また、サブキャリアはトーンと称されることがある。また、基地局はNode B、移動局はUEと表されることがある。【０１３２】
また、上記実施の形態では、基地局のアンテナ数が４本の場合について説明したが、基地局のアンテナ数は４本に限らない。例えば、実施の形態２における基地局のアンテナ数が５本の場合、１ＴＴＩに２つの組み合わせを含み、循環遅延シフトサンプル数の差の最大は２Ｎ／５となる。また、例えば、実施の形態２における基地局のアンテナ数が６本の場合、１ＴＴＩ内に３つの組み合わせを含み、循環遅延シフトサンプル数の差の最大はＮ／２となる。【０１３３】
また、上記実施の形態では、移動局のアンテナ数が２本の場合について説明したが、移動局のアンテナ数は、２本に限らない。また、移動局のアンテナ数は基地局のアンテナ本数にも依存しない。【０１３４】
また、上記実施の形態では、基地局が移動局に循環遅延シフトサンプル数を制御情報として通知する場合について説明したが、例えば、基地局と移動局とで同一の循環遅延シフトサンプル数のシフトパターンを保持し、基地局と同様にして移動局でＴＴＩ毎に循環遅延シフトサンプル数を決定してもよい。【０１３５】
また、上記実施の形態では、移動体通信システムにおいて、無線通信装置を基地局１００，３００とした場合について説明したが、本発明は、無線通信装置を移動局とすることもできる。これにより、上記同様の作用・効果を奏する移動局を実現することができる。【０１３６】
また、上記実施の形態では、本発明をハードウェアで構成する場合を例にとって説明したが、本発明はソフトウェアで実現することも可能である。【０１３７】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。【０１３８】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。【０１３９】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。【０１４０】
２００７年７月１２日出願の特願２００７−１８３４７５および２００８年２月７日出願の特願２００８−０２７７５５の日本出願に含まれる明細書、図面および要約書の開示内容は、すべて本願に援用される。
【産業上の利用可能性】
【０１４１】
本発明は、移動体通信システム等に適用することができる。
【図１】
2009008180.tif 000003
【図２】
2009008180.tif 000004
【図３】
2009008180.tif 000005
【図４】
2009008180.tif 000006
【図５】
2009008180.tif 000007
【図６】
2009008180.tif 000008
【図７】
2009008180.tif 000009
【図８】
2009008180.tif 000010
【図９】
2009008180.tif 000011
【図１０】
2009008180.tif 000012
【図１１】
2009008180.tif 000013
【図１２】
2009008180.tif 000014
【図１３】
2009008180.tif 000015
【図１４】
2009008180.tif 000016
【図１５】
2009008180.tif 000017
【図１６】
2009008180.tif 000018
【図１７】
2009008180.tif 000019
【図１８Ａ】
2009008180.tif 000020
【図１８Ｂ】
2009008180.tif 000021
【図１８Ｃ】
2009008180.tif 000022
【図１９】
2009008180.tif 000023
【図２０】
2009008180.tif 000024
【図２１】
2009008180.tif 000025
【図２２】
2009008180.tif 000026
【手続補正書】
【提出日】平成21年4月16日(2009.4.16)
【手続補正１】
【補正対象書類名】特許請求の範囲
【補正対象項目名】全文
【補正方法】変更
【補正の内容】
【特許請求の範囲】
【請求項１】
複数のサブキャリアからなるマルチキャリア信号を循環遅延ダイバーシチ送信する無線通信装置であって、
複数のアンテナのいずれか２つのアンテナからそれぞれ送信される前記マルチキャリア信号に与える２つのＣＤＤ遅延量の差が最大となる前記２つのアンテナの組み合わせを時間の経過とともに順次変化させるように、複数のＣＤＤ遅延量を決定する決定部と、
決定された前記複数のＣＤＤ遅延量を前記複数のアンテナからそれぞれ送信される前記マルチキャリア信号に与える遅延部と、
を具備する無線通信装置。
【請求項２】
前記２つのＣＤＤ遅延量の差の最大値は、前記マルチキャリア信号のデータ長の半分である、
請求項１記載の無線通信装置。
【請求項３】
前記決定部は、前記複数のアンテナのいずれか２つのアンテナで構成されるすべての組み合わせにおいて、前記２つのＣＤＤ遅延量の差が最大となる組み合わせを時間の経過とともに順次変化させるように前記複数のＣＤＤ遅延量を決定する、
請求項１記載の無線通信装置。
【請求項４】
前記決定部は、同一の送信単位時間内に前記２つのＣＤＤ遅延量の差が最大となる組み合わせを複数存在させるように前記複数のＣＤＤ遅延量を決定する、
請求項１記載の無線通信装置。
【請求項５】
前記決定部は、同一の送信単位時間内に前記２つのＣＤＤ遅延量の差が最大となる組み合わせを前記複数のアンテナの数の半数存在させるように前記複数のＣＤＤ遅延量を決定する、
請求項４記載の無線通信装置。
【請求項６】
前記決定部は、前記マルチキャリア信号のデータ長を前記複数のアンテナの数で等分した値の整数倍の値を前記複数のＣＤＤ遅延量とする、
請求項１記載の無線通信装置。
【請求項７】
前記決定部は、前記２つのＣＤＤ遅延量の差が最大となる組み合わせを構成する２つのアンテナから送信される前記マルチキャリア信号の送信電力を高くし、前記２つのＣＤＤ遅延量の差が最大となる組み合わせを構成する２つのアンテナ以外のアンテナから送信される前記マルチキャリア信号の送信電力を低くするように、前記複数のアンテナからそれぞれ送信される前記マルチキャリア信号に対する送信電力を決定し、
決定された前記送信電力に従って、前記マルチキャリア信号の送信電力を制御する制御部を、さらに具備する、
請求項１記載の無線通信装置。
【請求項８】
前記制御部は、前記マルチキャリア信号のうちデータ信号の送信電力を制御する、
請求項７記載の無線通信装置。
【請求項９】
前記制御部は、前記マルチキャリア信号のうち参照信号の送信電力を制御する、
請求項７記載の無線通信装置。
【請求項１０】
前記決定部は、前記２つのＣＤＤ遅延量の差が最大となる組み合わせを構成する２つのアンテナから送信される参照信号の送信単位時間当たりの配置密度を高くし、前記２つのＣＤＤ遅延量の差が最大となる組み合わせを構成する２つのアンテナ以外のアンテナから送信される参照信号の送信単位時間当たりの配置密度を低くするように、前記複数のアンテナからそれぞれ送信される前記参照信号の送信単位時間当たりの配置密度を決定し、
決定された前記配置密度に従って前記参照信号を前記複数のサブキャリアのいずれかに配置する配置部を、さらに具備する、
請求項１記載の無線通信装置。
【請求項１１】
前記決定部は、同一の送信単位時間において、前記２つのＣＤＤ遅延量の差が最大となる前記２つのアンテナの組み合わせを異なる周波数領域で変化させるように、前記複数のＣＤＤ遅延量を決定する、
請求項１記載の無線通信装置。
【請求項１２】
前記決定部は、同一の送信単位時間において、前記２つのＣＤＤ遅延量の差が最大となる前記２つのアンテナの組み合わせが自装置と他の無線通信装置との間で互いに異なるように、前記複数のＣＤＤ遅延量を決定する、
請求項１記載の無線通信装置。
【請求項１３】
前記決定部は、
前記２つのＣＤＤ遅延量の差が最大となる前記２つのアンテナの組み合わせを時間の経過とともに順次変化させた複数の組み合わせから成る組み合わせパターンを記憶し、
自装置と他の無線通信装置との間で互いに異なる前記組合せパターンを用いて、前記複数のＣＤＤ遅延量を決定する、
請求項１２記載の無線通信装置。
【請求項１４】
前記決定部は、前記２つのＣＤＤ遅延量の差が最大となる前記２つのアンテナの組み合わせを時間の経過とともに順次変化させた複数の組み合わせから成る組み合わせパターンのうち同一の組み合わせを、自装置と他の無線通信装置との間で互いに異なる送信単位時間で用いて、前記複数のＣＤＤ遅延量を決定する、
請求項１２記載の無線通信装置。
【請求項１５】
複数のサブキャリアからなるマルチキャリア信号を循環遅延ダイバーシチ送信する無線通信装置におけるＣＤＤ遅延量決定方法であって、
複数のアンテナのいずれか２つのアンテナからそれぞれ送信される前記マルチキャリア信号に与える２つのＣＤＤ遅延量の差が最大となる前記２つのアンテナの組み合わせを時間の経過とともに順次変化させるように、複数のＣＤＤ遅延量を決定する、
ＣＤＤ遅延量決定方法。
【手続補正書】
【提出日】平成21年10月13日(2009.10.13)
【手続補正１】
【補正対象書類名】特許請求の範囲
【補正対象項目名】全文
【補正方法】変更
【補正の内容】
【特許請求の範囲】
【請求項１】
複数のサブキャリアからなるマルチキャリア信号を循環遅延ダイバーシチ送信する無線通信装置であって、
複数のアンテナのいずれか２つのアンテナからそれぞれ送信される前記マルチキャリア信号に与える２つのＣＤＤ遅延量の差が最大となる前記２つのアンテナの組み合わせを時間の経過とともに順次変化させるように、複数のＣＤＤ遅延量を決定する決定部と、
決定された前記複数のＣＤＤ遅延量を前記複数のアンテナからそれぞれ送信される前記マルチキャリア信号に与える遅延部と、
を具備する無線通信装置。
【請求項２】
前記２つのＣＤＤ遅延量の差の最大値は、前記マルチキャリア信号のデータ長の半分である、
請求項１記載の無線通信装置。
【請求項３】
前記決定部は、前記複数のアンテナのいずれか２つのアンテナで構成されるすべての組み合わせにおいて、前記２つのＣＤＤ遅延量の差が最大となる組み合わせを時間の経過とともに順次変化させるように前記複数のＣＤＤ遅延量を決定する、
請求項１記載の無線通信装置。
【請求項４】
前記決定部は、同一の送信単位時間内に前記２つのＣＤＤ遅延量の差が最大となる組み合わせを複数存在させるように前記複数のＣＤＤ遅延量を決定する、
請求項１記載の無線通信装置。
【請求項５】
前記決定部は、同一の送信単位時間内に前記２つのＣＤＤ遅延量の差が最大となる組み合わせを前記複数のアンテナの数の半数存在させるように前記複数のＣＤＤ遅延量を決定する、
請求項４記載の無線通信装置。
【請求項６】
前記決定部は、前記マルチキャリア信号のデータ長を前記複数のアンテナの数で等分した値の整数倍の値を前記複数のＣＤＤ遅延量とする、
請求項１記載の無線通信装置。
【請求項７】
前記決定部は、前記２つのＣＤＤ遅延量の差が最大となる組み合わせを構成する２つのアンテナから送信される前記マルチキャリア信号の送信電力を高くし、前記２つのＣＤＤ遅延量の差が最大となる組み合わせを構成する２つのアンテナ以外のアンテナから送信される前記マルチキャリア信号の送信電力を低くするように、前記複数のアンテナからそれぞれ送信される前記マルチキャリア信号に対する送信電力を決定し、
決定された前記送信電力に従って、前記マルチキャリア信号の送信電力を制御する制御部を、さらに具備する、
請求項１記載の無線通信装置。
【請求項８】
前記制御部は、前記マルチキャリア信号のうちデータ信号の送信電力を制御する、
請求項７記載の無線通信装置。
【請求項９】
前記制御部は、前記マルチキャリア信号のうち参照信号の送信電力を制御する、
請求項７記載の無線通信装置。
【請求項１０】
前記決定部は、前記２つのＣＤＤ遅延量の差が最大となる組み合わせを構成する２つのアンテナから送信される参照信号の送信単位時間当たりの配置密度を高くし、前記２つのＣＤＤ遅延量の差が最大となる組み合わせを構成する２つのアンテナ以外のアンテナから送信される参照信号の送信単位時間当たりの配置密度を低くするように、前記複数のアンテナからそれぞれ送信される前記参照信号の送信単位時間当たりの配置密度を決定し、
決定された前記配置密度に従って前記参照信号を前記複数のサブキャリアのいずれかに配置する配置部を、さらに具備する、
請求項１記載の無線通信装置。
【請求項１１】
前記決定部は、同一の送信単位時間において、前記２つのＣＤＤ遅延量の差が最大となる前記２つのアンテナの組み合わせを異なる周波数領域で変化させるように、前記複数のＣＤＤ遅延量を決定する、
請求項１記載の無線通信装置。
【請求項１２】
前記決定部は、同一の送信単位時間において、前記２つのＣＤＤ遅延量の差が最大となる前記２つのアンテナの組み合わせが自装置と他の無線通信装置との間で互いに異なるように、前記複数のＣＤＤ遅延量を決定する、
請求項１記載の無線通信装置。
【請求項１３】
前記決定部は、
前記２つのＣＤＤ遅延量の差が最大となる前記２つのアンテナの組み合わせを時間の経過とともに順次変化させた複数の組み合わせから成る組み合わせパターンを記憶し、
自装置と他の無線通信装置との間で互いに異なる前記組合せパターンを用いて、前記複数のＣＤＤ遅延量を決定する、
請求項１２記載の無線通信装置。
【請求項１４】
前記決定部は、前記２つのＣＤＤ遅延量の差が最大となる前記２つのアンテナの組み合わせを時間の経過とともに順次変化させた複数の組み合わせから成る組み合わせパターンのうち同一の組み合わせを、自装置と他の無線通信装置との間で互いに異なる送信単位時間で用いて、前記複数のＣＤＤ遅延量を決定する、
請求項１２記載の無線通信装置。
【請求項１５】
複数のサブキャリアからなるマルチキャリア信号を循環遅延ダイバーシチ送信する無線通信装置におけるＣＤＤ遅延量決定方法であって、
複数のアンテナのいずれか２つのアンテナからそれぞれ送信される前記マルチキャリア信号に与える２つのＣＤＤ遅延量の差が最大となる前記２つのアンテナの組み合わせを時間の経過とともに順次変化させるように、複数のＣＤＤ遅延量を決定する、
ＣＤＤ遅延量決定方法。
【手続補正２】
【補正対象書類名】明細書
【補正対象項目名】全文
【補正方法】変更
【補正の内容】
【発明の詳細な説明】
【技術分野】
【０００１】
本発明は、無線通信装置およびＣＤＤ遅延量決定方法に関する。
【背景技術】
【０００２】
近年、高速大容量のデータ伝送を実現するための伝送技術の検討が行われており、複数のアンテナを用いたＭＩＭＯ（Multi Input Multi Output）伝送技術が注目を集めている。ＭＩＭＯ伝送では、送信側および受信側の双方に複数のアンテナを設け、無線送受信間の空間に複数の伝搬路を用意し、それら複数の伝搬路を空間多重することにより、スループットを増大させることができる。
【０００３】
また、ＭＩＭＯ伝送の周辺要素技術として、アンテナ毎に異なる循環遅延を与えた信号を複数のアンテナから同時に送信することで等価的に遅延スプレッドを増大させてフェージングチャネルの周波数選択性を高める循環遅延ダイバーシチ（ＣＤＤ：Cyclic Delay Diversity）技術が検討されている（例えば、非特許文献１参照）。ここで、遅延スプレッドの大きさは、各アンテナのチャネル利得と、各アンテナから送信されるデータシンボルに与えるＣＤＤ遅延量である循環遅延シフトサンプル数の差とに基づく。具体的には、より大きなチャネル利得の２つのアンテナからそれぞれ送信されるデータシンボルに与えられる循環遅延シフトサンプル数の差がより大きいほど、遅延スプレッドがより大きくなる。また、得られる遅延スプレッドがより大きいほど、より大きな周波数ダイバーシチ効果を得ることができる。
【０００４】
また、ＣＤＤにおいて、予め決められた固定の循環遅延シフトサンプル数をデータシンボルに与えて送信するオープンループ送信を行うことが考えられる（例えば、非特許文献２参照）。
【非特許文献１】3GPP,R1-051354,Samsung,“Adaptive Cyclic Delay Diversity”,RAN1#43,Soul,Korea,November 7-10,2005
【非特許文献２】3GPP,R1-063345,LGE,“CDD-based Precoding for E-UTRA downlink MIMO”,RAN1#47,Riga,Latvia,November 6-10,2006
【発明の開示】
【発明が解決しようとする課題】
【０００５】
オープンループ送信を行う無線通信基地局装置（以下、単に基地局という）では、循環遅延シフトサンプル数が予め決められているため、遅延スプレッドの大きさは、各アンテナの時間フェージングのチャネル利得の変動に影響される。また、無線通信移動局装置（以下、単に移動局という）の移動速度が低速である場合、各アンテナの時間フェージングのチャネル利得の変動は緩慢になる。通信時間内の各アンテナの時間フェージングのチャネル利得の変動が緩慢であり、かつ、チャネル利得の大きい２つのアンテナからそれぞれ送信されるデータシンボルに与える２つの循環遅延シフトサンプル数の差が小さい場合には、遅延スプレッドが小さい状態が継続してしまい、周波数ダイバーシチ効果が常に小さくなってしまう。このように、オープンループ送信では、各アンテナの時間フェージングのチャネル利得の変動が緩慢な場合に、周波数ダイバーシチ効果が得られないことがある。
【０００６】
本発明の目的は、オープンループ送信でＣＤＤを用いる場合に周波数ダイバーシチ効果を得ることができる無線通信装置およびＣＤＤ遅延量決定方法を提供することである。
【課題を解決するための手段】
【０００７】
本発明の無線通信装置は、複数のサブキャリアからなるマルチキャリア信号を循環遅延ダイバーシチ送信する無線通信装置であって、複数のアンテナのいずれか２つのアンテナで構成されるすべての組み合わせにおいて、前記２つのアンテナからそれぞれ送信される前記マルチキャリア信号に与える２つのＣＤＤ遅延量の差が最大となる組み合わせを時間の経過とともに順次変化させるように、前記複数のアンテナからそれぞれ送信される前記マルチキャリア信号に与える複数のＣＤＤ遅延量を決定する決定手段と、決定された前記複数のＣＤＤ遅延量を前記マルチキャリア信号に与える遅延手段と、を具備する構成を採る。
【発明の効果】
【０００８】
本発明によれば、オープンループ送信でＣＤＤを用いる場合に周波数ダイバーシチ効果を得ることができる。
【発明を実施するための最良の形態】
【０００９】
以下、本発明の実施の形態について、図面を参照して詳細に説明する。
【００１０】
（実施の形態１）
本実施の形態に係る基地局１００の構成を図１に示す。
【００１１】
図１に示す基地局１００において、ＣＤＤ制御情報決定部１０１は、アンテナ１０９−１〜１０９−４からそれぞれ送信されるデータシンボルに与える循環遅延シフトサンプル数を決定する。具体的には、ＣＤＤ制御情報決定部１０１は、アンテナ１０９−１〜１０９−４のいずれか２つのアンテナで構成されるすべての組み合わせにおいて、２本のアンテナからそれぞれ送信されるデータシンボルに与える２つの循環遅延シフトサンプル数の差が最大となる組み合わせを時間の経過とともに順次変化させるように、アンテナ１０９−１〜１０９−４からそれぞれ送信されるデータシンボルに与える循環遅延シフトサンプル数を決定する。また、ＣＤＤ制御情報決定部１０１は、決定した各アンテナの循環遅延シフトサンプル数を示す制御信号を生成する。そして、ＣＤＤ制御情報決定部１０１は、互いに異なる循環遅延シフトサンプル数を循環遅延部１０５−１〜１０５−４へそれぞれ出力する。ＣＤＤ制御情報決定部１０１におけるＣＤＤ遅延量決定処理の詳細については後述する。
【００１２】
符号化部１０２は、送信データを符号化する。そして、符号化部１０２は、符号化後の送信データを変調部１０３へ出力する。
【００１３】
変調部１０３は、符号化部１０２から入力される符号化後の送信データを変調してデータシンボルを生成する。そして、変調部１０３は、生成されたデータシンボルを配置部１０４へ出力する。
【００１４】
配置部１０４は、共通参照信号と、ＣＤＤ制御情報決定部１０１から入力される制御信号と、変調部１０３から入力されるデータシンボルとを多重するとともに、多重された信号を複数のサブキャリアにそれぞれ配置する。そして、配置部１０４は、多重された信号を循環遅延部１０５−１〜１０５−４へそれぞれ出力する。
【００１５】
循環遅延部１０５−１、ＩＦＦＴ（Inverse Fast Fourier Transform）部１０６−１、ＣＰ（Cyclic Prefix）付加部１０７−１および無線送信部１０８−１はアンテナ１０９−１に対応して備えられる。同様に、循環遅延部１０５−２〜１０５−４、ＩＦＦＴ部１０６−２〜１０６−４、ＣＰ付加部１０７−２〜１０７−４および無線送信部１０８−２〜１０８−４はアンテナ１０９−２〜１０９−４に対応して備えられる。
【００１６】
循環遅延部１０５−１〜１０５−４は、配置部１０４から入力される多重された信号のうち、複数のサブキャリアにそれぞれ配置された各データシンボルに対して、ＣＤＤ制御情報決定部１０１から入力される循環遅延シフトサンプル数に従って互いに異なる循環遅延を与える。そして、循環遅延部１０５−１〜１０５−４は、循環遅延後の信号をＩＦＦＴ部１０６−１〜１０６−４へそれぞれ出力する。
【００１７】
ＩＦＦＴ部１０６−１〜１０６−４は、循環遅延部１０５−１〜１０５−４からそれぞれ入力される循環遅延後の信号が配置されたサブキャリアに対してＩＦＦＴ処理を施して、ＯＦＤＭシンボルを生成する。そして、ＩＦＦＴ部１０６−１〜１０６−４は、ＯＦＤＭシンボルをＣＰ付加部１０７−１〜１０７−４へそれぞれ出力する。
【００１８】
ＣＰ付加部１０７−１〜１０７−４は、各ＯＦＤＭシンボルの後尾部分と同じ信号をＣＰとして各ＯＦＤＭシンボルの先頭に付加する。そして、ＣＰ付加部１０７−１〜１０７−４は、ＣＰ付加後のＯＦＤＭシンボルを無線送信部１０８−１〜１０８−４へそれぞれ出力する。
【００１９】
無線送信部１０８−１〜１０８−４は、ＣＰ付加後のＯＦＤＭシンボルに対しＤ／Ａ変換、増幅およびアップコンバート等の送信処理を行って、送信処理後のＯＦＤＭシンボルをアンテナ１０９−１〜１０９−４から同時に送信する。これにより、複数のＯＦＤＭシンボルが複数のアンテナよりＣＤＤ送信される。
【００２０】
次に、ＣＤＤ制御情報決定部１０１におけるＣＤＤ遅延量決定処理の詳細について説明する。
【００２１】
ここでは、変調部１０３から入力されるデータシンボルのデータ長をＮシンボルとする。よって、循環遅延シフトサンプル数の差は最大でＮ／２となる。また、アンテナ数が４本であるため、ＣＤＤ制御情報決定部１０１では、０〜Ｎ／２の間で等間隔に離れた４つの値を循環遅延シフトサンプル数として用いる。つまり、ＣＤＤ制御情報決定部１０１では、各アンテナから送信されるデータシンボルに与える循環遅延シフトサンプル数が、０、Ｎ／６、Ｎ／３、Ｎ／２のいずれかに決定される。また、送信単位時間を１ＴＴＩ（Transmission Time Interval）とする。
【００２２】
また、アンテナの数が４本の場合、２つのアンテナで構成されるすべての組み合わせは１２（＝４Ｐ２）通りとなる。ただし、順列が異なる同一のアンテナの組み合わせでは、与える循環遅延シフトサンプル数を互いに入れ替えただけであり、循環遅延シフトサンプル数の差は不変であるため、遅延スプレッドの大きさはほぼ同一となる。例えば、アンテナ１０９−１から送信されるデータシンボルに０を与えるとともにアンテナ１０９−２から送信されるデータシンボルにＮ／２を与える場合と、アンテナ１０９−１から送信されるデータシンボルにＮ／２を与えるとともにアンテナ１０９−２から送信されるデータシンボルに０を与える場合とでは、遅延スプレッドの大きさはほぼ同一となる。つまり、２つのアンテナからそれぞれ送信されるデータシンボルに与えられる循環遅延シフトサンプル数がどのような値であっても、その差が同一であれば、遅延スプレッドの大きさはほぼ同一となる。よって、アンテナ数が４本の場合、２つのアンテナで構成されるすべての組み合わせは１２通りの半分の６（＝４Ｃ２）通りとすることができる。
【００２３】
そこで、ＣＤＤ制御情報決定部１０１は、６通りの組み合わせにおいて、２本のアンテナからそれぞれ送信されるデータシンボルに与える２つの循環遅延シフトサンプル数の差がＮ／２となる組み合わせを６ＴＴＩに渡って順次変化させるように、アンテナ１０９−１〜１０９−４からそれぞれ送信されるデータシンボルに与える４つの循環遅延シフトサンプル数を決定する。
【００２４】
具体的には、ＣＤＤ制御情報決定部１０１は、ＴＴＩ１〜６それぞれにおける４つの循環遅延シフトサンプル数の組み合わせとして、図２に示す組み合わせ番号Ｃ１〜６の組み合わせをそれぞれ決定する。すなわち、ＴＴＩ１に対しては図２に示す組み合わせ番号Ｃ１を対応させ、ＣＤＤ制御情報決定部１０１は、アンテナ１０９−１から送信されるデータシンボルに与える循環遅延シフトサンプル数を０に決定し、アンテナ１０９−２から送信されるデータシンボルに与える循環遅延シフトサンプル数をＮ／２に決定し、アンテナ１０９−３から送信されるデータシンボルに与える循環遅延シフトサンプル数をＮ／３に決定し、アンテナ１０９−４から送信されるデータシンボルに与える循環遅延シフトサンプル数をＮ／６に決定する。つまり、ＴＴＩ１（組み合わせ番号Ｃ１）では、アンテナ１０９−１および１０９−２からそれぞれ送信されるデータシンボルに与えられる２つの循環遅延シフトサンプル数の差が最大値（Ｎ／２）となる。
【００２５】
同様にして、ＴＴＩ２に対しては図２に示す組み合わせ番号Ｃ２を対応させ、ＣＤＤ制御情報決定部１０１は、アンテナ１０９−１から送信されるデータシンボルに与える循環遅延シフトサンプル数を０に決定し、アンテナ１０９−２から送信されるデータシンボルに与える循環遅延シフトサンプル数をＮ／６に決定し、アンテナ１０９−３から送信されるデータシンボルに与える循環遅延シフトサンプル数をＮ／２に決定し、アンテナ１０９−４から送信されるデータシンボルに与える循環遅延シフトサンプル数をＮ／３に決定する。つまり、ＴＴＩ２（組み合わせ番号Ｃ２）では、アンテナ１０９−１および１０９−３からそれぞれ送信されるデータシンボルに与えられる２つの循環遅延シフトサンプル数の差が最大値（Ｎ／２）となる。
【００２６】
ＴＴＩ３〜６についても同様にして図２に示す組み合わせ番号Ｃ１〜６を対応させ、ＣＤＤ制御情報決定部１０１は、各アンテナから送信されるデータシンボルに与える循環遅延シフトサンプル数を決定する。
【００２７】
図２に示す組み合わせを用いることで、ＣＤＤ制御情報決定部１０１では、２つの循環遅延シフトサンプル数の差が最大値（Ｎ／２）となるアンテナの組み合わせを１ＴＴＩ毎に順次変化させる。また、ＴＴＩ１〜６のいずれかの時刻で、各組み合わせ（組み合わせ番号Ｃ１〜６）に属する２つの循環遅延シフトサンプル数の差が最大となる。すなわち、循環遅延シフトサンプル数のパターンのシフト周期は６ＴＴＩとなる。これにより、チャネル利得の大きいアンテナがアンテナ１０９−１〜１０９−４のいずれの場合であっても、６ＴＴＩのうちのいずれかの時刻では、循環遅延シフトサンプル数の差が必ず最大となる。
【００２８】
次に、図３に示すように、アンテナ１０９−１〜１０９−４のチャネル利得が振幅Ａ〜Ｄのいずれかである場合の遅延スプレッドの時間推移について説明する。図３では、時間フェージングのチャネル利得の変動が緩慢であり、振幅Ａ〜Ｄの大きさの順序（ランキング）が変動しない。上述の通り、遅延スプレッドは、チャネル利得がより大きいアンテナから送信されるデータシンボルに与えられる循環遅延シフトサンプル数の影響をより多く受ける。つまり、遅延スプレッドは、チャネル利得が振幅Ａであるアンテナから送信されるデータシンボルに与えられる循環遅延シフトサンプル数とチャネル利得が振幅Ｂであるアンテナから送信されるデータシンボルに与えられる循環遅延シフトサンプル数との差に応じて決まる。
【００２９】
そこで、各組み合わせに属する２本のアンテナのチャネル利得が振幅Ａおよび振幅Ｂである場合のＴＴＩ１〜６（組み合わせ番号Ｃ１〜６）における遅延スプレッドの時間推移を図４に示す。図４では、循環遅延シフトサンプル数の差がＮ／２である場合を遅延スプレッド：大とし、循環遅延シフトサンプル数の差がＮ／３である場合を遅延スプレッド：中とし、循環遅延シフトサンプル数の差がＮ／６である場合を遅延スプレッド：小とする。
【００３０】
アンテナ１０９−１およびアンテナ１０９−２のチャネル利得が振幅Ａおよび振幅Ｂである場合、ＴＴＩ１（組み合わせ番号Ｃ１）では、図２に示すアンテナ１０９−１およびアンテナ１０９−２の２つの循環遅延シフトサンプル数（０およびＮ／２）の差がＮ／２であるので遅延スプレッド：大となる。また、ＴＴＩ２（組み合わせ番号Ｃ２）では、アンテナ１０９−１およびアンテナ１０９−２の２つの循環遅延シフトサンプル数（０およびＮ／６）の差がＮ／６であるので遅延スプレッド：小となり、ＴＴＩ３（組み合わせ番号Ｃ３）では、アンテナ１０９−１およびアンテナ１０９−２の２つの循環遅延シフトサンプル数（０およびＮ／３）の差がＮ／３であるので遅延スプレッド：中となり、ＴＴＩ４（組み合わせ番号Ｃ４）では、アンテナ１０９−１およびアンテナ１０９−２の２つの循環遅延シフトサンプル数（Ｎ／３および０）の差がＮ／３であるので遅延スプレッド：中となり、ＴＴＩ５（組み合わせ番号Ｃ５）では、アンテナ１０９−１およびアンテナ１０９−２の２つの循環遅延シフトサンプル数（Ｎ／６および０）の差がＮ／６であるので遅延スプレッド：小となり、ＴＴＩ６（組み合わせ番号Ｃ６）では、アンテナ１０９−１およびアンテナ１０９−２の２つの循環遅延シフトサンプル数（Ｎ／３およびＮ／６）の差がＮ／６であるので遅延スプレッド：小となる。図４に示す他のアンテナの組み合わせについても同様である。
【００３１】
図４に示すように、いずれのアンテナの組み合わせでも、ＴＴＩ１〜６（組み合わせ番号Ｃ１〜６）で得られる遅延スプレッドは［大、中、中、小、小、小］となる。すなわち、いずれのアンテナの組み合わせのチャネル利得が大きくなってもＴＴＩ１〜６（組み合わせ番号Ｃ１〜６）に渡って万遍なく異なる大きさの遅延スプレッドを得ることができる。つまり、いずれのアンテナの組み合わせのチャネル利得が小さくなってしまう場合でも、平均的な遅延スプレッドを得ることにより、周波数ダイバーシチ効果が常に小さくなることを防ぐことができる。
【００３２】
次に、移動局が移動することによって生じるチャネル変動周期を示す最大ドップラー周期と循環遅延シフトサンプル数のシフト周期との関係について説明する。ここでは、１ＴＴＩを１ｍｓｅｃとする。
【００３３】
図５に示すように、移動局２００の移動速度が３５０ｋｍ／ｈと高速である場合、最大ドップラー周期は１．６ｍｓｅｃとなる。これは、循環遅延シフトサンプル数のシフト周期である６ＴＴＩ（６ｍｓｅｃ）の約０．２７倍の長さとなる。よって、高速移動では、６ＴＴＩより短い時間間隔にて時間フェージングのチャネル利得のランキングが大きく変動する。すなわち、各アンテナから送信されるデータシンボルに与える循環遅延シフトサンプル数が固定である場合でも、通信時間内で各アンテナのチャネル利得が大きく変動するため、周波数ダイバーシチ効果を得ることができる。
【００３４】
一方、図５に示すように、移動局２００の移動速度が３ｋｍ／ｈと低速である場合、最大ドップラー周期は１８１．８ｍｓｅｃとなる。これは、循環遅延シフトサンプル数のシフト周期である６ＴＴＩ（６ｍｓｅｃ）の約３０倍の長さとなる。よって、通信時間内では、図３に示すように各アンテナの時間フェージングのチャネル利得の変動が緩慢となる。しかし、図３に示すように、チャネル利得のランキングの変動が見込めない場合でも、基地局１００では、最大ドップラー周期に対して十分に短い時間間隔にて各アンテナの循環遅延シフトサンプル数をシフトし、１ＴＴＩ毎に異なる大きさの遅延スプレッドを得ることができる。これにより、シフト周期の６ＴＴＩでは、遅延スプレッドが平均化される。つまり、低速移動時のように時間フェージングのチャネル利得の変動が緩慢である場合でも、移動局２００では遅延スプレッドを大きく変動することで、高速移動時の時間フェージングのチャネル利得の変動と等価の効果を得ることができ、各アンテナのチャネル利得の大きさに依らず、周波数ダイバーシチ効果を得ることができる。
【００３５】
なお、図５に示すように、移動局２００の移動速度が３０ｋｍ／ｈと中速である場合、最大ドップラー周期は１８．２ｍｓｅｃとなる。これは、循環遅延シフトサンプル数のシフト周期である６ＴＴＩ（６ｍｓｅｃ）の約３倍の長さとなる。よって、基地局１００では、循環遅延シフトサンプル数をシフトすることによる周波数ダイバーシチ効果と、時間フェージングのチャネル利得の変動を平均化することによる時間ダイバーシチ効果とが得られる。
【００３６】
次に、本実施の形態に係る移動局２００の構成を図６に示す。
【００３７】
図６に示す移動局２００において、無線受信部２０２−１、ＣＰ除去部２０３−１およびＦＦＴ部２０４−１はアンテナ２０１−１に対応して備えられる。また、無線受信部２０２−２、ＣＰ除去部２０３−２およびＦＦＴ部２０４−２はアンテナ２０１−２に対応して備えられる。
【００３８】
無線受信部２０２−１および無線受信部２０２−２は、基地局１００（図１）からＣＤＤ送信されたマルチキャリア信号であるＯＦＤＭシンボルをアンテナ２０１−１およびアンテナ２０１−２を介してそれぞれ受信し、このＯＦＤＭシンボルに対してダウンコンバート、Ａ／Ｄ変換等の受信処理を施す。そして、無線受信部２０２−１および無線受信部２０２−２は、無線受信処理後のＯＦＤＭシンボルをＣＰ除去部２０３−１およびＣＰ除去部２０３−２にそれぞれ出力する。
【００３９】
ＣＰ除去部２０３−１およびＣＰ除去部２０３−２は、無線受信部２０２−１および無線受信部２０２−２からそれぞれ入力されるＯＦＤＭシンボルからＣＰを除去する。そして、ＣＰ除去部２０３−１およびＣＰ除去部２０３−２は、ＣＰ除去後のＯＦＤＭシンボルをＦＦＴ部２０４−１およびＦＦＴ部２０４−２へそれぞれ出力する。
【００４０】
ＦＦＴ部２０４−１およびＦＦＴ部２０４−２は、ＣＰ除去部２０３−１およびＣＰ除去部２０３−２からそれぞれ入力されるＯＦＤＭシンボルに対してＦＦＴ処理を施し、時間領域の信号を周波数領域の信号に変換する。そして、ＦＦＴ部２０４−１およびＦＦＴ部２０４−２は、ＦＦＴ後の信号を分離部２０５へ出力する。
【００４１】
分離部２０５は、ＦＦＴ部２０４−１およびＦＦＴ部２０４−２からそれぞれ入力されるＦＦＴ後の信号をデータシンボルと、共通参照信号と、制御信号とに分離する。そして、分離部２０５は、データシンボルを復調部２０７へ出力し、共通参照信号および制御信号をチャネル推定部２０６へ出力する。
【００４２】
チャネル推定部２０６は、分離部２０５から入力される共通参照信号に対して、分離部２０５から入力される制御信号により示される循環遅延シフトサンプル数に基づいてチャネル推定を行う。具体的には、まず、チャネル推定部２０６は、アンテナ毎に配置された共通参照信号を用いて、アンテナ毎のチャネル推定を行う。そして、チャネル推定部２０６は、アンテナ毎の互いに異なる循環遅延をアンテナ毎のチャネル推定値に対してそれぞれ与え、循環遅延後の共通参照信号のチャネル推定を行う。このように、チャネル推定部２０６では、共通参照信号にデータ信号と同一の循環遅延を与えることにより、共通参照信号のチャネル推定値にデータ信号のＣＤＤによるフェージングチャネルの影響を反映させることができる。そして、チャネル推定部２０６は、推定されたチャネル推定値を復調部２０７へ出力する。
【００４３】
復調部２０７は、分離部２０５から入力されるデータシンボルをチャネル推定部２０６から入力されるチャネル推定値に基づいて復調する。そして、復調部２０７は、復調後のデータ信号を復号部２０８へ出力する。
【００４４】
復号部２０８は、復調部２０７から入力される復調後のデータ信号を復号する。そして、復号部２０８は、復号後のデータ信号を受信データとして出力する。
【００４５】
このように、本実施の形態によれば、各組み合わせに属する２つのアンテナからそれぞれ送信されるデータシンボルに与える２つの循環遅延シフトサンプル数の差が、時間の経過にともなって万遍なく変化する。つまり、各組み合わせに属する２つのアンテナからそれぞれ送信されるデータシンボルに与える２つの循環遅延シフトサンプル数の差が最大となる組み合わせが時間の経過とともに順次変化する。これにより、すべての組み合わせにおける遅延スプレッドの大きさを平均化することができる。よって、本実施の形態によれば、オープンループ送信でＣＤＤ送信する際、各アンテナの時間フェージングのチャネル利得の変動が緩慢である場合でも、一定の周波数ダイバーシチ効果を得ることができる。
【００４６】
（実施の形態２）
実施の形態１では、同一のＴＴＩ内に１つの組み合わせに属する２本のアンテナから送信されるデータシンボルに与えられる２つの循環遅延シフトサンプル数の差が最大になる場合について説明した。これに対し、本実施の形態では、同一のＴＴＩ内に２本のアンテナから送信されるデータシンボルに与えられる循環遅延シフトサンプル数の差が最大となる組み合わせを複数存在させるように循環遅延シフトサンプル数を決定する場合について説明する。
【００４７】
以下、本実施の形態に係るＣＤＤ制御情報決定部１０１の動作について説明する。
【００４８】
ここでは、実施の形態１と同様、変調部１０３から入力されるデータシンボルのデータ長をＮシンボルとする。そして、アンテナ数が４本であるため、ＣＤＤ制御情報決定部１０１では、０〜Ｎを４等分した値であるＮ／４の整数倍の値を循環遅延シフトサンプル数として用いる。つまり、ＣＤＤ制御情報決定部１０１では、各アンテナから送信されるデータシンボルに与える循環遅延シフトサンプル数が、０、Ｎ／４、Ｎ／２、３Ｎ／４のいずれかに決定される。これにより、０とＮ／２との差がＮ／２になるだけでなく、残りのＮ／４と３Ｎ／４との差もＮ／２となる。つまり、すべての組み合わせである６通りのうち、循環遅延シフトサンプル数の差が最大値（Ｎ／２）となる２通りを同一のＴＴＩ内に含むことができる。これは、任意のアンテナの組み合わせの循環遅延シフトサンプル数の差が最大値（Ｎ／２）となることを意味する。
【００４９】
そこで、ＣＤＤ制御情報決定部１０１は、同一のＴＴＩ内に、６通りの組み合わせにおいて２つのアンテナから送信されるデータシンボルに与える循環遅延シフトサンプル数の差が最大値（Ｎ／２）となる組み合わせをアンテナの数の半数である２組存在させるように、アンテナ１０９−１〜１０９−４からそれぞれ送信されるデータシンボルに与える４つの循環遅延シフトサンプル数を決定する。
【００５０】
具体的には、ＣＤＤ制御情報決定部１０１は、ＴＴＩ１〜３それぞれにおける４つの循環遅延シフトサンプル数の組み合わせとして、図７に示す組み合わせ番号Ｃ１’〜３’の組み合わせをそれぞれ決定する。すなわち、ＴＴＩ１に対しては図７に示す組み合わせ番号Ｃ１’を対応させ、ＣＤＤ制御情報決定部１０１は、アンテナ１０９−１から送信されるデータシンボルに与える循環遅延シフトサンプル数を０に決定し、アンテナ１０９−２から送信されるデータシンボルに与える循環遅延シフトサンプル数をＮ／２に決定し、アンテナ１０９−３から送信されるデータシンボルに与える循環遅延シフトサンプル数をＮ／４に決定し、アンテナ１０９−４から送信されるデータシンボルに与える循環遅延シフトサンプル数を３Ｎ／４に決定する。つまり、ＴＴＩ１（組み合わせ番号Ｃ１’）では、アンテナ１０９−１および１０９−２から送信されるデータシンボルに与えられる循環遅延シフトサンプル数の差がＮ／２となるとともに、アンテナ１０９−３および１０９−４から送信されるデータシンボルに与えられる循環遅延シフトサンプル数との差がＮ／２となる。
【００５１】
同様にして、ＴＴＩ２に対しては図７に示す組み合わせ番号Ｃ２’を対応させ、ＣＤＤ制御情報決定部１０１は、アンテナ１０９−１から送信されるデータシンボルに与える循環遅延シフトサンプル数を０に決定し、アンテナ１０９−２から送信されるデータシンボルに与える循環遅延シフトサンプル数をＮ／４に決定し、アンテナ１０９−３から送信されるデータシンボルに与える循環遅延シフトサンプル数をＮ／２に決定し、アンテナ１０９−４から送信されるデータシンボルに与える循環遅延シフトサンプル数を３Ｎ／４に決定する。つまり、ＴＴＩ２（組み合わせ番号Ｃ２’）では、アンテナ１０９−１および１０９−３から送信されるデータシンボルに与えられる循環遅延シフトサンプル数の差がＮ／２となるとともに、アンテナ１０９−２および１０９−４から送信されるデータシンボルに与えられる循環遅延シフトサンプル数の差とがＮ／２となる。
【００５２】
ＴＴＩ３についても同様にして、ＣＤＤ制御情報決定部１０１は、図７に示す組み合わせ番号Ｃ３’を各アンテナから送信されるデータシンボルに与える循環遅延シフトサンプル数として決定する。
【００５３】
図７に示すように、ＣＤＤ制御情報決定部１０１では、２つの循環遅延シフトサンプル数の差が最大値（Ｎ／２）となるアンテナの組み合わせを同一のＴＴＩ内に２組存在させる。また、ＴＴＩ１〜３のいずれかの時刻で、各組み合わせ（組み合わせ番号Ｃ１’〜３’）に属する２つの循環遅延シフトサンプル数の差が最大となる。すなわち、循環遅延シフトサンプル数のパターンのシフト周期が、実施の形態１の半分の３ＴＴＩに短縮される。
【００５４】
次に、アンテナの組み合わせに属する各アンテナのチャネル利得が、実施の形態１（図３）と同様、振幅Ａおよび振幅Ｂである場合のＴＴＩ１〜３（組み合わせ番号Ｃ１’〜３’）における遅延スプレッドの時間推移を図８に示す。実施の形態１では循環遅延シフトサンプル数の差がＮ／６である場合を遅延スプレッド：小としたのに対し、図８では、循環遅延シフトサンプル数の差がＮ／４である場合を遅延スプレッド：小とする。
【００５５】
アンテナ１０９−１およびアンテナ１０９−２のチャネル利得が振幅Ａおよび振幅Ｂである場合、ＴＴＩ１（組み合わせ番号Ｃ１’）では、図７に示すアンテナ１０９−１およびアンテナ１０９−２の２つの循環遅延シフトサンプル数（０およびＮ／２）の差がＮ／２であるので遅延スプレッド：大となる。また、ＴＴＩ２（組み合わせ番号Ｃ２’）では、アンテナ１０９−１およびアンテナ１０９−２の２つの循環遅延シフトサンプル数（０およびＮ／４）の差がＮ／４であるので遅延スプレッド：小となり、ＴＴＩ３（組み合わせ番号Ｃ３’）では、アンテナ１０９−１およびアンテナ１０９−２の２つの循環遅延シフトサンプル数（０およびＮ／４）の差がＮ／４であるので遅延スプレッド：小となる。図８に示す他のアンテナの組み合わせについても同様である。
【００５６】
図８に示すように、いずれのアンテナの組み合わせでも、ＴＴＩ１〜３（組み合わせ番号Ｃ１’〜３’）における遅延スプレッドが［大、小、小］となる。すなわち、いずれのアンテナの組み合わせのチャネル利得が大きくなってもＴＴＩ１〜３（組み合わせ番号Ｃ１’〜３’）に渡って万遍なく異なる大きさの遅延スプレッドを得ることができる。これにより、循環遅延シフトサンプル数のシフト周期が実施の形態１の半分の時間にできる。また、図８に示す遅延スプレッド：小は、図４に示す遅延スプレッド：小よりも大きい遅延スプレッドであるため、各ＴＴＩ（各組み合わせ番号）でも、図４と比較して大きな周波数ダイバーシチ効果を得ることができる。
【００５７】
また、例えば、ＴＴＩ１（図８に示す組み合わせ番号Ｃ１’）では、アンテナ１０９−１およびアンテナ１０９−２のチャネル利得が振幅Ａおよび振幅Ｂである場合と、アンテナ１０９−３およびアンテナ１０９−４のチャネル利得が振幅Ａおよび振幅Ｂである場合とで遅延スプレッド：大となる。すなわち、１ＴＴＩ内で循環遅延シフトサンプル数の差がＮ／２となり得るアンテナの組み合わせは２つとなる。これにより、実施の形態１よりも半分の時間で効率良く遅延スプレッドを平均化することができる。
【００５８】
次に、最大ドップラー周期と循環遅延シフトサンプル数のシフト周期との関係について説明する。ここで、１ＴＴＩは、実施の形態１と同様、１ｍｓｅｃとする。
【００５９】
図９に示すように、最大ドップラー周期と循環遅延シフトサンプル数のシフト周期との比率は実施の形態１（図５）の２倍となる。具体的には、移動局２００の移動速度が３ｋｍ／ｈと低速である場合、最大ドップラー周期は循環遅延シフトサンプル数のシフト周期の約６０倍の長さとなる。よって、通信時間内では、最大ドップラー周期に対してさらに短い時間間隔にて遅延スプレッドの平均化することができる。また、移動局２００の移動速度が３０ｋｍ／ｈと中速である場合でも、最大ドップラー周期は循環遅延シフトサンプル数のシフト周期の約６倍の長さとなり、実施の形態１よりも、循環遅延シフトサンプル数のシフトによる遅延スプレッドの平均化効果が向上する。
【００６０】
このようにして、本実施の形態によれば、２つのアンテナから送信されるデータシンボルに与えられる循環遅延シフトサンプル数の差が最大となる組み合わせを同一のＴＴＩ内に複数存在させるため、実施の形態１よりも、同一のＴＴＩ内で循環遅延シフトサンプル数の差が最大となり得る組み合わせが増加し、大きい遅延スプレッドを得られる可能性が増加する。よって、本実施の形態によれば、実施の形態１と同様の効果をより短時間で得ることができる。
【００６１】
さらに、本実施の形態によれば、実施の形態１よりも、基地局が移動局に通知する制御情報を削減することができる。具体的には、実施の形態１では、６パターンの情報があるので３ビット必要であるのに対し、本実施の形態では、３パターンの情報で済むので２ビットあればよい。また、基地局および移動局では、循環遅延シフトサンプル数のパターンを保持するためのメモリ量も削減することができる。
【００６２】
（実施の形態３）
本実施の形態では、時間の経過とともに変化する循環遅延シフトサンプル数に応じて、基地局が、各アンテナから送信されるＯＦＤＭシンボル（データシンボルと共通参照信号とから構成）の送信電力、および、共通参照信号の送信単位時間当たりの配置密度を決定する場合について説明する。
【００６３】
本実施の形態における基地局３００の構成を図１０に示す。図１０において、実施の形態１（図１）と同一の構成には同一符号を付し、説明を省略する。
【００６４】
図１０に示す基地局３００において、ＣＤＤ制御情報決定部３０１は、アンテナ１０９−１〜１０９−４からそれぞれ送信されるＯＦＤＭシンボルに与える循環遅延シフトサンプル数、アンテナ１０９−１〜１０９−４からそれぞれ送信されるＯＦＤＭシンボルの送信電力、および、アンテナ１０９−１〜１０９−４からそれぞれ送信される共通参照信号の送信単位時間当たりの配置密度を決定する。具体的には、まず、ＣＤＤ制御情報決定部３０１は、実施の形態１と同様にして、循環遅延シフトサンプル数を決定する。そして、ＣＤＤ制御情報決定部３０１は、アンテナ１０９−１〜１０９−４のいずれか２つのアンテナで構成されるすべての組み合わせにおいて、２つのアンテナからそれぞれ送信されるＯＦＤＭシンボルに与える２つの循環遅延シフトサンプル数の差が最大となる組み合わせを構成する２つのアンテナから送信されるＯＦＤＭシンボルの送信電力を高くし、２つの循環遅延シフトサンプル数の差が最大となる組み合わせを構成する２つのアンテナ以外のアンテナから送信されるＯＦＤＭシンボルの送信電力を低くするように、各アンテナからそれぞれ送信されるＯＦＤＭシンボルの送信電力を決定する。また、ＣＤＤ制御情報決定部３０１は、２つの循環遅延シフトサンプル数の差が最大となる組み合わせを構成する２つのアンテナから送信される参照信号の送信単位時間当たりの配置密度を高くし、２つの循環遅延シフトサンプル数の差が最大となる組み合わせを構成する２つのアンテナ以外のアンテナから送信される参照信号の送信単位時間当たりの配置密度を低くするように、各アンテナからそれぞれ送信される共通参照信号の送信単位時間当たりの配置密度を決定する。そして、ＣＤＤ制御情報決定部３０１は、決定した各アンテナの循環遅延シフトサンプル数と、各アンテナの送信電力を示す送信電力パラメータと、各アンテナの共通参照信号の配置密度を示す配置密度パラメータとから成る制御信号を配置部１０４、循環遅延部１０５−１〜１０５−４および電力制御部３０２−１〜３０２−４へそれぞれ出力する。ＣＤＤ制御情報決定部３０１におけるＣＤＤ制御情報決定処理の詳細については後述する。
【００６５】
配置部１０４は、ＣＤＤ制御情報決定部３０１から入力される制御信号に示される配置密度パラメータに従って、共通参照信号を、ＯＦＤＭシンボルを構成する複数のサブキャリアのいずれかに配置する。
【００６６】
循環遅延部１０５−１〜１０５−４は、配置部１０４から入力される多重された信号のうち、複数のサブキャリアにそれぞれ配置された各データシンボルに対して、ＣＤＤ制御情報決定部３０１から入力される制御信号に示される循環遅延シフトサンプル数に従って互いに異なる循環遅延を与える。ここでは、循環遅延部１０５−１〜１０５−４は、共通参照信号に対しては循環遅延を与えない。そして、循環遅延部１０５−１〜１０５−４は、循環遅延後の信号を電力制御部３０２−１〜３０２−４へそれぞれ出力する。
【００６７】
電力制御部３０２−１〜３０２−４はアンテナ１０９−１〜１０９−４にそれぞれ対応して備えられる。電力制御部３０２−１〜３０２−４は、ＣＤＤ制御情報決定部３０１から入力される制御信号に示される送信電力パラメータに従って、循環遅延部１０５−１〜１０５−４からそれぞれ入力される循環遅延後のＯＦＤＭシンボルの送信電力を制御する。すなわち、電力制御部３０２−１〜３０２−４は、ＯＦＤＭシンボルのうちのデータシンボルおよび共通参照信号の送信電力を制御する。
【００６８】
一方、本実施の形態における移動局２００（図６）のチャネル推定部２０６は、分離部２０５から入力される共通参照信号に対して、分離部２０５から入力される制御信号を用いてチャネル推定を行う。具体的には、まず、チャネル推定部２０６は、制御信号により示される配置密度パラメータに基づいて、ＯＦＤＭシンボルを構成する複数のサブキャリアに配置された各アンテナの共通参照信号を特定する。そして、チャネル推定部２０６は、各アンテナの共通参照信号を用いて、アンテナ毎にチャネル推定を行う。次いで、チャネル推定部２０６は、制御信号により示される循環遅延シフトサンプル数に基づいて、アンテナ毎の互いに異なる循環遅延をアンテナ毎のチャネル推定値に対してそれぞれ与え、循環遅延後の共通参照信号のチャネル推定を行う。
【００６９】
次に、ＣＤＤ制御情報決定部３０１におけるＣＤＤ制御情報決定処理の詳細について説明する。
【００７０】
ここでは、実施の形態１と同様、変調部１０３から入力されるデータシンボルのデータ長をＮシンボルとする。よって、循環遅延シフトサンプル数の差は最大でＮ／２となる。つまり、ＣＤＤ制御情報決定部３０１では、各アンテナから送信されるデータシンボルに与える循環遅延シフトサンプル数が、０，Ｎ／６，Ｎ／３，Ｎ／２のいずれかに決定される。ここでは、送信単位時間ＴＴＩ１〜６それぞれにおける循環遅延シフトサンプル数の組み合わせとして、実施の形態１の図２に示す循環遅延シフトサンプル数の組み合わせ（組み合わせ番号Ｃ１〜６）を用いる。また、図１１に示す送信電力パラメータ、および、図１３に示す配置密度パラメータそれぞれの組み合わせを示す組み合わせ番号Ｃ１〜６は、送信単位時間ＴＴＩ１〜６にそれぞれ対応する。つまり、基地局３００は、ＴＴＩ１〜６それぞれにおける、循環遅延シフトサンプル数、送信電力パラメータおよび配置密度パラメータの組み合わせとして組み合わせ番号Ｃ１〜６の組み合わせをそれぞれ決定する。よって、基地局３００は、移動局２００へ送信する制御信号として組み合わせ番号Ｃ１〜６を用いる。例えば、ＴＴＩ２では、基地局３００は制御信号として組み合わせ番号Ｃ２を送信し、移動局２００は、図２、図１１、図１３の組み合わせ番号Ｃ２の各パラメータを制御情報として用いる。また、ＯＦＤＭシンボルを構成する複数のサブキャリアをいくつかにブロック化したブロック単位をサブキャリアブロック（Subcarrier Block）とする。図１４では、ＯＦＤＭシンボルを構成する１２サブキャリアを１サブキャリアブロックとする。また、送信単位時間である１ＴＴＩおよび周波数領域のブロック単位である１サブキャリアブロックにおける、アンテナ１０９−１〜１０９−４からそれぞれ送信される共通参照信号の配置密度は、アンテナ毎に差があるものとする。具体的には、１ＴＴＩにおいて、ＯＦＤＭシンボルを構成するサブキャリア（図１４に示すサブキャリアブロックを構成する１２サブキャリア）のいずれかに配置される共通参照信号の数が４個であるアンテナと、ＯＦＤＭシンボルを構成するサブキャリア（図１４に示すサブキャリアブロックを構成する１２サブキャリア）のいずれかに配置される共通参照信号の数が２個であるアンテナとが存在する。
【００７１】
まず、ＣＤＤ制御情報決定部３０１は、実施の形態１と同様にして、各ＴＴＩにおける、アンテナ１０９−１〜１０９−４からそれぞれ送信されるデータシンボルに与える４つの循環遅延シフトサンプル数を決定する。例えば、図２に示すように、ＣＤＤ制御情報決定部３０１は、実施の形態１と同様にして、ＴＴＩ１〜６それぞれにおける、アンテナ１０９−１〜１０９−４からそれぞれ送信されるデータシンボルに与える４つの循環遅延シフトサンプル数の組み合わせ（組み合わせ番号Ｃ１〜６）を決定する。これにより、実施の形態１と同様、ＴＴＩ１〜６のいずれかでは、循環遅延シフトサンプル数の差が必ず最大となる。また、いずれのアンテナの組み合わせのチャネル利得が大きくなっても、実施の形態１の図４に示すように、ＴＴＩ１〜６（組み合わせ番号Ｃ１〜６）に渡って万遍なく異なる大きさの遅延スプレッドを得ることができる。
【００７２】
次いで、ＣＤＤ制御情報決定部３０１は、図２に示す循環遅延シフトサンプル数の組み合わせに基づいて、アンテナ１０９−１〜１０９−４からそれぞれ送信されるＯＦＤＭシンボルの送信電力を決定する。すなわち、ＣＤＤ制御情報決定部３０１は、２本のアンテナからそれぞれ送信されるデータシンボルに与える２つの循環遅延シフトサンプル数の差が最大のＮ／２となる組み合わせを構成する２つのアンテナから送信されるＯＦＤＭシンボルの送信電力を高くし、２本のアンテナからそれぞれ送信されるデータシンボルに与える２つの循環遅延シフトサンプル数の差が最大のＮ／２となる組み合わせを構成する２つのアンテナ以外のアンテナから送信されるＯＦＤＭシンボルの送信電力を低くするように、アンテナ１０９−１〜１０９−４からそれぞれ送信されるＯＦＤＭシンボルの送信電力パラメータを決定する。
【００７３】
ここで、ＴＴＩ１〜６それぞれにおける送信電力パラメータの組み合わせ（組み合わせ番号Ｃ１〜６）を図１１に示す。図１１では、図１２左側に示す送信電力制御前の各アンテナの送信電力に対して、所定量だけ送信電力を高くする場合の送信電力パラメータを‘高’とする。一方、送信電力を高くする場合と同一の所定量だけ送信電力を低くする場合の送信電力パラメータを‘低’とする。すなわち、送信電力制御前の総送信電力と送信電力制御後の総送信電力とは同一となる。
【００７４】
よって、ＴＴＩ１（組み合わせ番号Ｃ１）では、図２に示すアンテナ１０９−１およびアンテナ１０９−２の２つの循環遅延シフトサンプル数（０およびＮ／２）の差がＮ／２であるので、ＣＤＤ制御情報決定部３０１は、図１１に示すように、アンテナ１０９−１およびアンテナ１０９−２の送信電力パラメータを‘高’に決定する。一方、ＣＤＤ制御情報決定部３０１は、アンテナ１０９−１およびアンテナ１０９−２以外のアンテナである、アンテナ１０９−３およびアンテナ１０９−４の送信電力パラメータを‘低’に決定する。
【００７５】
同様に、ＴＴＩ２（組み合わせ番号Ｃ２）では、図２に示すアンテナ１０９−１およびアンテナ１０９−３の２つの循環遅延シフトサンプル数（０およびＮ／２）の差がＮ／２であるので、ＣＤＤ制御情報決定部３０１は、図１１に示すように、アンテナ１０９−１およびアンテナ１０９−３の送信電力パラメータを‘高’に決定する。一方、ＣＤＤ制御情報決定部３０１は、アンテナ１０９−１およびアンテナ１０９−３以外のアンテナである、アンテナ１０９−２およびアンテナ１０９−４の送信電力パラメータを‘低’に決定する。ＴＴＩ３〜６（組み合わせ番号Ｃ３〜６）についても同様にして各アンテナから送信されるＯＦＤＭシンボルの送信電力パラメータを決定する。
【００７６】
そして、図１０に示す電力制御部３０２−１〜３０２−４は、図１１に示す送信電力パラメータに従ってＯＦＤＭシンボルの送信電力を制御する。例えば、ＴＴＩ１（組み合わせ番号Ｃ１）では、図１１に示すように、アンテナ１０９−１およびアンテナ１０９−２の送信電力パラメータは‘高’である。よって、図１２右側に示すように、アンテナ１０９−１およびアンテナ１０９−２にそれぞれ対応する電力制御部３０２−１および電力制御部３０２−２は、ＯＦＤＭシンボルの送信電力を高くする。一方、図１１に示すように、アンテナ１０９−３およびアンテナ１０９−４の送信電力パラメータは‘低’である。図１２右側に示すように、アンテナ１０９−３およびアンテナ１０９−４にそれぞれ対応する電力制御部３０２−３および電力制御部３０２−４は、ＯＦＤＭシンボルの送信電力を低くする。ＴＴＩ２〜６（組み合わせ番号Ｃ２〜６）についても同様である。
【００７７】
上述したように、各アンテナのチャネル利得が大きく、かつ、循環遅延シフトサンプル数の差が大きい場合、遅延スプレッドは大きくなる。よって、基地局３００が循環遅延シフトサンプル数の差が最大となるアンテナから送信されるＯＦＤＭシンボルの送信電力を高くすることで、移動局２００ではより大きな遅延スプレッドを得ることができる。つまり、チャネル利得の大きいアンテナがアンテナ１０９−１〜１０９−４のいずれの場合であっても、ＴＴＩ１〜６（組み合わせ番号Ｃ１〜６）のいずれかでは、より大きな遅延スプレッドを得ることができる。
【００７８】
次いで、ＣＤＤ制御情報決定部３０１は、図２に示す循環遅延シフトサンプル数の組み合わせに基づいて、アンテナ１０９−１〜１０９−４からそれぞれ送信される共通参照信号の配置密度を決定する。すなわち、ＣＤＤ制御情報決定部３０１は、２本のアンテナからそれぞれ送信されるデータシンボルに与える２つの循環遅延シフトサンプル数の差が最大のＮ／２となる組み合わせを構成する２つのアンテナから送信される共通参照信号の１ＴＴＩ当たりの配置密度を高くし、２本のアンテナからそれぞれ送信されるデータシンボルに与える２つの循環遅延シフトサンプル数の差が最大のＮ／２となる組み合わせを構成する２つのアンテナ以外のアンテナから送信される共通参照信号の１ＴＴＩ当たりの配置密度を低くするように、アンテナ１０９−１〜１０９−４からそれぞれ送信される共通参照信号の１ＴＴＩ当たりの配置密度パラメータを決定する。
【００７９】
ここで、ＴＴＩ１〜６それぞれにおける配置密度パラメータの組み合わせ（組み合わせ番号Ｃ１〜６）を図１３に示す。図１３では、共通参照信号の配置密度を高くする場合の配置密度パラメータを‘高’とする。一方、共通参照信号の配置密度を低くする場合の配置密度パラメータを‘低’とする。よって、配置密度パラメータが‘高’の場合、４個の共通参照信号がＯＦＤＭシンボルを構成するサブキャリアのいずれかに配置され、配置密度パラメータが‘低’の場合、２個の共通参照信号がＯＦＤＭシンボルを構成するサブキャリアのいずれかに配置される。
【００８０】
よって、ＴＴＩ１（組み合わせ番号Ｃ１）では、図２に示すアンテナ１０９−１およびアンテナ１０９−２の２つの循環遅延シフトサンプル数（０およびＮ／２）の差がＮ／２であるので、ＣＤＤ制御情報決定部３０１は、図１３に示すように、アンテナ１０９−１およびアンテナ１０９−２の配置密度パラメータを‘高’に決定する。一方、ＣＤＤ制御情報決定部３０１は、アンテナ１０９−１およびアンテナ１０９−２以外のアンテナである、アンテナ１０９−３およびアンテナ１０９−４の配置密度パラメータを‘低’に決定する。
【００８１】
同様に、ＴＴＩ２（組み合わせ番号Ｃ２）では、図２に示すアンテナ１０９−１およびアンテナ１０９−３の２つの循環遅延シフトサンプル数（０およびＮ／２）の差がＮ／２であるので、ＣＤＤ制御情報決定部３０１は、図１３に示すように、アンテナ１０９−１およびアンテナ１０９−３の配置密度パラメータを‘高’に決定する。一方、ＣＤＤ制御情報決定部３０１は、アンテナ１０９−１およびアンテナ１０９−３以外のアンテナである、アンテナ１０９−２およびアンテナ１０９−４の配置密度パラメータを‘低’に決定する。ＴＴＩ３〜６（組み合わせ番号Ｃ３〜６）についても同様にして各アンテナから送信される共通参照信号の配置密度を決定する。
【００８２】
そして、図１０に示す配置部１０４は、図１３に示す配置密度パラメータに従って共通参照信号を複数のサブキャリアのいずれかに配置する。例えば、ＴＴＩ１（組み合せ番号Ｃ１）では、図１３に示すように、アンテナ１０９−１およびアンテナ１０９−２の配置密度パラメータは‘高’である。よって、配置部１０４は、図１４左側に示すように、アンテナ１０９−１から送信される共通参照信号Ｒ１、および、アンテナ１０９−２から送信される共通参照信号Ｒ２を、ＯＦＤＭシンボルを構成するサブキャリア（１サブキャリアブロックを構成する１２サブキャリア）のいずれか４箇所にそれぞれ配置する。また、図１３に示すように、アンテナ１０９−３およびアンテナ１０９−４の配置密度パラメータは‘低’である。よって、配置部１０４は、図１４左側に示すように、アンテナ１０９−３から送信される共通参照信号Ｒ３、および、アンテナ１０９−４から送信される共通参照信号Ｒ４を、ＯＦＤＭシンボルを構成するサブキャリア（１サブキャリアブロックを構成する１２サブキャリア）のいずれか２箇所にそれぞれ配置する。
【００８３】
また、ＴＴＩ２（組み合わせ番号Ｃ２）では、図１３に示すように、アンテナ１０９−１およびアンテナ１０９−３の配置密度パラメータは‘高’である。よって、配置部１０４は、図１４右側に示すように、アンテナ１０９−１から送信される共通参照信号Ｒ１、および、アンテナ１０９−３から送信される共通参照信号Ｒ３を、ＯＦＤＭシンボルを構成するサブキャリア（１サブキャリアブロックを構成する１２サブキャリア）のいずれか４箇所にそれぞれ配置する。また、図１３に示すように、アンテナ１０９−２およびアンテナ１０９−４の配置密度パラメータは‘低’である。よって、配置部１０４は、図１４右側に示すように、アンテナ１０９−２から送信される共通参照信号Ｒ２、および、アンテナ１０９−４から送信される共通参照信号Ｒ４を、ＯＦＤＭシンボルを構成するサブキャリア（１サブキャリアブロックを構成する１２サブキャリア）のいずれか２箇所に配置する。ＴＴＩ３〜６（組み合わせ番号Ｃ３〜６）についても同様である。
【００８４】
このように、ＴＴＩ１〜６（組み合わせ番号Ｃ１〜６）において、上述したＯＦＤＭシンボルの送信電力制御と同様にして、循環遅延シフトサンプル数の差が最大のＮ／２となる組み合わせを構成する２つのアンテナからそれぞれ送信される共通参照信号の配置密度が高くなる。これにより、循環遅延シフトサンプル数の差が最大のＮ／２となる組み合わせを構成する２つのアンテナに対して、共通参照信号の配置密度が高くなるように制御することで、より多くの共通参照信号を配置することができる。また、循環遅延シフトサンプル数の差が最大のＮ／２となる組み合わせを構成する２つのアンテナに対して、共通参照信号の送信電力が高くなるように制御することで、より高い送信電力を割り当てることができる。そのため、移動局２００（図６）では良好な受信品質の共通参照信号をより多く受信することができる。よって、移動局２００のチャネル推定部２０６は、より多くの良好な受信品質の共通参照信号を用いてチャネル推定値を測定することができるため、チャネル推定精度を向上させることができる。
【００８５】
このようにして、本実施の形態によれば、循環遅延シフトサンプル数の差が最大となる組み合わせを構成するアンテナから送信されるマルチキャリア信号の送信電力を高くし、かつ、そのアンテナから送信される共通参照信号の送信単位時間当たりの配置密度を高くする。これにより、チャネル利得が大きいアンテナでは、さらに大きい遅延スプレッドを一定の時間間隔で得ることができるため、周波数ダイバーシチ効果をさらに向上させることができる。さらに、送信電力が大きいアンテナから送信される共通参照信号の送信単位当たりの配置密度が高くなるため、移動局ではチャネル推定精度をより向上することができる。
【００８６】
なお、本実施の形態では、各アンテナからそれぞれ送信される共通参照信号の配置密度が、アンテナ毎に差がある場合について説明したが、各アンテナからそれぞれ送信される共通参照信号の配置密度が、均一である場合には、配置部１０４による配置密度パラメータに従った配置処理は行わないものとする。
【００８７】
また、本実施の形態では、配置部１０４による共通参照信号の配置密度制御と電力制御部３０２−１〜３０２−４による共通参照信号の電力制御とを同時に実施する場合について説明した。しかし、本発明は、配置部１０４による共通参照信号の配置密度制御と電力制御部３０２−１〜３０２−４による共通参照信号の電力制御とを、それぞれ独立に実施してもよい。例えば、配置部１０４による共通参照信号の配置密度制御のみを実施する場合、移動局２００のチャネル推定部２０６（図６）は、チャネル推定精度に支配的な影響を与える、循環遅延シフトサンプル数の差が最大のＮ／２となる組み合わせを構成する２つのアンテナからそれぞれ送信されるより多くの共通参照信号を用いてチャネル推定することができる。そのため、チャネル推定部２０６は、チャネル推定精度を向上させることができる。また、電力制御部３０２−１〜３０２−４の共通参照信号の電力制御のみを実施する場合、チャネル推定部２０６は、チャネル推定精度に支配的な影響を与える、循環遅延シフトサンプル数の差が最大のＮ／２となる組み合わせを構成する２つのアンテナのチャネル利得を向上させることにより、循環遅延後の共通参照信号のチャネル推定精度を向上させることができる。
【００８８】
（実施の形態４）
本実施の形態では、さらに、同一の送信単位時間において、２つのアンテナからそれぞれ送信されるデータシンボルに与える２つの循環遅延シフトサンプル数の差が最大となる組み合わせを異なる周波数領域で変化させる場合について説明する。
【００８９】
以下、本実施の形態に係るＣＤＤ制御情報決定部３０１（図１０）の動作について説明する。
【００９０】
ここでは、実施の形態３と同様、変調部１０３から入力されるデータシンボルのデータ長をＮシンボルとする。また、図１５および図１６に示す組み合わせ番号Ｃ１〜６は、実施の形態３と同様、図２、図１１、図１３の組み合わせ番号Ｃ１〜６にそれぞれ対応する。また、時間領域の送信単位時間を１スロット（１ＴＴＩ）とする。また、周波数領域では、隣接するサブキャリアは、いくつかまとめてブロック化したサブキャリアブロック単位に分けられる。なお、サブキャリアブロックは、リソースブロック（ＲＢ：Resource Block）、サブキャリアグループと称されることもある。また、図１６に示すように、１スロットと１サブキャリアブロックとから成るブロックをＣＤＤ変更単位とする。また、各ＣＤＤ変更単位には、アンテナ１０９−１〜１０９−４からそれぞれ送信される共通参照信号Ｒ１〜４が１個以上含まれる。
【００９１】
本実施の形態に係るＣＤＤ制御情報決定部３０１は、同一のスロットにおいて、２つのアンテナからそれぞれ送信されるデータシンボルに与える２つの循環遅延シフトサンプル数の差が最大となる組み合わせを異なるサブキャリアブロックで変化させるように、複数の循環遅延シフトサンプル数を決定する。
【００９２】
例えば、図１５に示すように、サブキャリアブロック（以下、‘ＳＢ’という）１では、ＣＤＤ制御情報決定部３０１は、組み合わせ番号Ｃ１に基づいて制御情報を決定する。すなわち、ＣＤＤ制御情報決定部３０１は、例えばアンテナ１０９−１に対して、図２より循環遅延シフトサンプル数を０に決定し、図１１より送信電力パラメータを‘高’に決定し、図１３より配置密度パラメータを‘高’に決定する。アンテナ１０９−２〜１０９−４についても同様である。
【００９３】
同様にして、図１５に示すように、ＳＢ２では、ＣＤＤ制御情報決定部３０１は、組み合わせ番号Ｃ２に基づいて制御情報を決定する。すなわち、ＣＤＤ制御情報決定部３０１は、例えばアンテナ１０９−１に対して、図２より循環遅延シフトサンプル数を０に決定し、図１１より送信電力パラメータを‘高’に決定し、図１３より配置密度パラメータを‘高’に決定する。アンテナ１０９−２〜１０９−４についても同様である。
【００９４】
また、ＳＢ３〜６についても同様にして、ＣＤＤ制御情報決定部３０１は、組み合わせ番号Ｃ３〜６に基づいて、循環遅延シフトサンプル数、送信電力パラメータ、および、配置密度パラメータを決定する。
【００９５】
このようにして、ＣＤＤ制御情報決定部３０１は、アンテナ１０９−１〜１０９−４に対する、循環遅延シフトサンプル数と送信電力パラメータと配置密度パラメータとから成る制御情報を、同一スロットでは異なる周波数領域で順次変化させ、かつ、同一サブキャリアブロックでは、時間の経過とともに順次変化させるように決定する。
【００９６】
例えば、図１６に示すように、ＣＤＤ制御情報決定部３０１は、スロット１とＳＢ１とから成るＣＤＤ変更単位では、アンテナ１０９−１〜１０９−４に対する制御情報を組み合わせ番号Ｃ６に対応する制御情報に決定し、スロット１とＳＢ２とから成るＣＤＤ変更単位では、アンテナ１０９−１〜１０９−４に対する制御情報を組み合わせ番号Ｃ５に対応する制御情報に決定する。スロット１とＳＢ３〜６それぞれとから成るＣＤＤ変更単位についても同様である。
【００９７】
同様にして、図１６に示すように、ＣＤＤ制御情報決定部３０１は、スロット２とＳＢ１とから成るＣＤＤ変更単位では、アンテナ１０９−１〜１０９−４に対する制御情報を組み合わせ番号Ｃ１に対応する制御情報に決定し、スロット２とＳＢ２とから成るＣＤＤ変更単位では、アンテナ１０９−１〜１０９−４に対する制御情報を組み合わせ番号Ｃ６に対応する制御情報に決定する。スロット２とＳＢ３〜６それぞれとから成るＣＤＤ変更単位についても同様である。
【００９８】
スロット３〜６についても同様にして、ＣＤＤ制御情報決定部３０１は、各スロットとＳＢ１〜６それぞれとから成るＣＤＤ変更単位において、アンテナ１０９−１〜１０９−４に対する制御情報を決定する。
【００９９】
図１６に示すように、同一スロットの異なるＣＤＤ変更単位（例えば、スロット１のＳＢ１〜ＳＢ６）では、互いに異なる組み合わせ番号に対応する制御情報が決定され、同一ＳＢの異なるＣＤＤ変更単位（例えば、ＳＢ１のスロット１〜スロット６）では、互いに異なる組み合わせ番号に対応する制御情報が決定される。これにより、時間領域では、実施の形態３と同様、各アンテナの時間フェージングのチャネル利得の変動が緩慢である場合でも、一定の時間間隔（図１６に示すスロット１〜スロット６）において、時間フェージングのチャネル利得の変動を平均化することができる。同様に、周波数領域では、各アンテナの周波数フェージングのチャネル利得の変動が緩慢である場合でも、一定の周波数帯域（ＳＢ１〜ＳＢ６）において、周波数フェージングのチャネル利得の変動を平均化することができる。よって、オープンループ送信でＣＤＤ送信する際、各アンテナの時間フェージングのチャネル利得の変動が緩慢である場合のみでなく、各アンテナの周波数フェージングのチャネル利得の変動が緩慢である場合でも、遅延スプレッドの平均化効果を向上することができ、一定の周波数ダイバーシチ効果をさらに向上することができる。
【０１００】
また、アンテナ１０９−１〜１０９−４それぞれから送信される共通参照信号Ｒ１〜４は、いずれのＣＤＤ変更単位内にも少なくとも１つ以上配置されている。すなわち、図１６に示す一定の時間間隔（スロット１〜スロット６）および一定の周波数帯域（ＳＢ１〜ＳＢ６）では、共通参照信号Ｒ１〜４が万遍なく配置される。よって、一定の時間間隔および一定の周波数帯域に渡って、移動局２００（図６）では、均一なチャネル推定値を得ることができる。さらに、ＣＤＤ変更単位内において、循環遅延シフトサンプル数の差が最大のＮ／２となる組み合わせを構成する２つのアンテナからそれぞれ送信される共通参照信号の配置密度を高くすることにより、移動局２００（図６）におけるチャネル推定精度を向上させることができる。
【０１０１】
このようにして、本実施の形態によれば、時間領域および周波数領域でのフェージングのチャネル利得を平均化することができる。これにより、移動局では、遅延スプレッドの平均化効果を向上することができるため、周波数ダイバーシチ効果をさらに向上することができる。
【０１０２】
（実施の形態５）
本実施の形態では、マルチメディア・ブロードキャスト／マルチキャスト・サービス（Multimedia Broadcast/Multicast Service：ＭＢＭＳ）を用いる場合について説明する。
【０１０３】
図１７に示すように、ＭＢＭＳでは、複数の基地局（基地局Ａおよび基地局Ｂ）が、セル境界に位置する移動局に対して、同一周波数帯域を用いて、同時に同一データを送信する。これにより、移動局は、複数の基地局からの同一データを合成（サイトダイバーシチ合成）することでサイトダイバーシチ効果を得ることができ、受信品質を改善することができる。
【０１０４】
ここで、図１７に示すように、基地局Ａからのチャネル利得をＨａとし、基地局Ｂからのチャネル利得をＨｂとする。なお、ＨａおよびＨｂはそれぞれ複素数である。例えば、ＨａとＨｂとがほぼ同一となる場合（Ｈａ＝Ｈｂ）、すなわち、ＨａとＨｂとの相関値が１に近くなる場合、移動局では、サイトダイバーシチ効果が得られなくなる。また、Ｈａの振幅とＨｂの振幅とがほぼ同一となり、Ｈａの位相とＨｂの位相とが逆位相になる場合（Ｈａ＝−Ｈｂ）、すなわち、ＨａとＨｂとの相関値が−１に近くなる場合、移動局では、互いのチャネル利得が相殺され、得られるチャネル利得が非常に小さくなってしまう。
【０１０５】
よって、基地局Ａおよび基地局Ｂのチャネル利得の変動が緩慢である場合、サイトダイバーシチ効果が得られない状態、または、得られるチャネル利得が非常に小さい状態が継続してしまう可能性がある。これにより、遅延スプレッドが小さい状態が継続してしまい、周波数ダイバーシチ効果が得られなくなってしまう。
【０１０６】
そこで、本実施の形態に係る基地局３００（図１０）のＣＤＤ制御情報決定部３０１は、同一送信単位時間において、２つのアンテナからそれぞれ送信されるデータシンボルに与える２つの循環遅延シフトサンプル数の差が最大となる組み合わせが自局と他の基地局との間で互いに異なるように、複数の循環遅延シフトサンプル数を決定する。ＣＤＤ制御情報決定部３０１における制御情報決定方法については後述する。
【０１０７】
循環遅延部１０５−１〜１０５−４は、配置部１０４から入力される多重された信号に対して、ＣＤＤ制御情報決定部３０１から入力される制御信号に示される循環遅延シフトサンプル数に従って互いに異なる循環遅延を与える。ここでは、循環遅延部１０５−１〜１０５−４は、データシンボルおよび共通参照信号の双方に対して循環遅延を与える。そして、循環遅延部１０５−１〜１０５−４は、循環遅延後の信号を電力制御部３０２−１〜３０２−４へそれぞれ出力する。
【０１０８】
一方、本実施の形態における移動局２００（図６）のチャネル推定部２０６は、分離部２０５から入力される共通参照信号に対して、分離部２０５から入力される制御信号に基づいてチャネル推定を行う。ここで、共通参照信号には、基地局３００で循環遅延が与えられている。そのため、チャネル推定部２０６は、アンテナ毎の互いに異なる循環遅延をアンテナ毎のチャネル推定値に対してそれぞれ与えることなく、循環遅延後の共通参照信号のチャネル推定を行うことができる。
【０１０９】
次に、本実施の形態に係るＣＤＤ制御情報決定部３０１における制御情報決定方法について説明する。
【０１１０】
（制御情報決定方法１）
本制御情報決定方法では、各基地局のＣＤＤ制御情報決定部３０１は、自局と他の基地局との間で互いに異なる組み合わせパターンを用いて、複数の循環遅延シフトサンプル数を決定する。
【０１１１】
ここでは、図１７に示す基地局ＡのＣＤＤ制御情報決定部３０１は、２つのアンテナからそれぞれ送信されるデータシンボルに与える２つの循環遅延シフトサンプル数の差が最大となる組み合わせを時間の経過とともに順次変化させた複数の組み合わせ（組み合わせ番号Ｃ１〜６）から成る組み合わせパターンＡを記憶する。また、図１７に示す基地局ＢのＣＤＤ制御情報決定部３０１は、組み合わせパターンＡと異なる複数の組み合わせ（組み合わせ番号Ｃ１〜６）から成る組み合わせパターンＢを記憶する。
【０１１２】
また、図１７に示す基地局ＡのＣＤＤ制御情報決定部３０１は、実施の形態３と同様、図２に示す循環遅延シフトサンプル数の組み合わせパターン、図１１に示す送信電力パラメータの組み合わせパターン、および、図１３に示す配置密度の組み合わせパターンを組み合わせパターンＡとして用いる。一方、図１７に示す基地局ＢのＣＤＤ制御情報決定部３０１は、図１８Ａに示す循環遅延シフトサンプル数の組み合わせパターン、図１８Ｂに示す送信電力パラメータの組み合わせパターン、および、図１８Ｃに示す配置密度の組み合わせパターンを組み合わせパターンＢとして用いる。
【０１１３】
よって、図１７に示す基地局ＡのＣＤＤ制御情報決定部３０１は、図１９に示すように、スロット１〜６において、組み合わせパターンＡ（図２、図１１および図１３）の組み合わせ番号Ｃ１〜６に対応する制御情報をそれぞれ決定する。これに対し、図１７に示す基地局ＢのＣＤＤ制御情報決定部３０１は、図１９に示すように、スロット１〜６において、組み合わせパターンＡと異なる組み合わせパターンＢ（図１８Ａ、図１８Ｂおよび図１８Ｃ）の組み合わせ番号Ｃ１〜６に対応する制御情報をそれぞれ決定する。すなわち、実施の形態３と同様、各基地局では、２つのアンテナからそれぞれ送信されるデータシンボルに与える２つの循環遅延シフトサンプル数の差が最大となる組み合わせを時間の経過とともに順次変化させる。このため、基地局Ａまたは基地局Ｂから送信されるデータシンボルを受信する移動局２００（図６）では、実施の形態３と同様の効果を得ることができる。
【０１１４】
ここで、基地局Ａの循環遅延シフトサンプル数の組み合わせパターンＡ（図２）と基地局Ｂの循環遅延シフトサンプル数の組み合わせパターンＢ（図１８Ａ）とを比較する。スロット１（組み合わせ番号Ｃ１）では、図２に示すように、基地局Ａにおいて、循環遅延シフトサンプル数の差が最大のＮ／２となる組み合わせを構成する２つのアンテナは、アンテナ１０９−１およびアンテナ１０９−２である。これに対し、図１８Ａに示すように、基地局Ｂにおいて、循環遅延シフトサンプル数の差が最大のＮ／２となる組み合わせを構成する２つのアンテナは、アンテナ１０９−１およびアンテナ１０９−４である。同様に、スロット２（組み合わせ番号Ｃ２）では、図２に示すように、基地局Ａにおいて、循環遅延シフトサンプル数の差が最大のＮ／２となる組み合わせを構成する２つのアンテナは、アンテナ１０９−１およびアンテナ１０９−３である。これに対し、図１８Ａに示すように、基地局Ｂにおいて、循環遅延シフトサンプル数の差が最大のＮ／２となる組み合わせを構成する２つのアンテナは、アンテナ１０９−３およびアンテナ１０９−４である。つまり、同一スロット（組み合わせ番号）では、２つのアンテナからそれぞれ送信されるデータシンボルに与える２つの循環遅延シフトサンプル数の差が最大のＮ／２となる組み合わせを構成するアンテナは、基地局Ａと基地局Ｂとで互いに異なる。スロット３〜６（組み合わせ番号Ｃ３〜６）についても同様である。
【０１１５】
このように、基地局Ａおよび基地局Ｂでは、同一スロットにおいて、２つの循環遅延シフトサンプル数の差が最大となるアンテナの組み合わせが異なる。そのため、各スロットにおけるチャネル利得Ｈａの変動とチャネル利得Ｈｂの変動とは異なる。これより、基地局Ａ（組み合わせパターンＡ）および基地局Ｂ（組み合わせパターンＢ）の同一スロットでのチャネル利得が互いに異なる可能性が増加する。よって、移動局２００（図６）は、サイトダイバーシチ合成することで、スロット１〜６（組み合わせ番号Ｃ１〜６）でのチャネル利得の変動を平均化することができる。つまり、移動局２００では、サイトダイバーシチ効果が得られない状態、または、得られるチャネル利得が非常に小さい状態になる可能性を低くすることができる。
【０１１６】
このようにして、本制御情報決定方法によれば、各基地局は自局と他の基地局との間で互いに異なる組み合わせパターンを用いて、複数の循環遅延シフトサンプル数を決定する。そのため、移動局が各基地局から同時に送信された同一のデータシンボルをサイトダイバーシチ合成することで各基地局からのチャネル利得の変動が平均化されるため、遅延スプレッドの平均化効果を向上することができる。よって、移動局では、実施の形態３の効果に加え、サイトダイバーシチ合成による遅延スプレッドの平均化効果が得られるため、周波数ダイバーシチ効果をさらに向上させることができ、受信品質を向上させることができる。
【０１１７】
また、本制御情報決定方法では、時間の経過とともに組み合わせ（組み合わせ番号Ｃ１〜６）が順次変化する場合について説明した。しかし、本制御情報決定方法では、実施の形態４と同様、ＣＤＤ制御情報決定部３０１は、図２０に示すように、時間領域および周波数領域において、異なる組み合わせ（組み合わせ番号Ｃ１〜６）を用いて制御情報を決定してもよい。これにより、時間ダイバーシチ効果のみでなく、周波数ダイバーシチ効果も得ることができる。
【０１１８】
（制御情報決定方法２）
本制御情報決定方法では、各基地局のＣＤＤ制御情報決定部３０１は、同一の組み合わせパターンを用いて、複数の循環遅延シフトサンプル数を決定する。
【０１１９】
ここでは、各基地局のＣＤＤ制御情報決定部３０１は、２つのアンテナからそれぞれ送信されるデータシンボルに与える２つの循環遅延シフトサンプル数の差が最大となるアンテナの組み合わせを時間の経過とともに順次変化させた複数の組み合わせ（組み合わせ番号Ｃ１〜６）から成る、同一の組み合わせパターンを記憶する。例えば、図１７に示す各基地局のＣＤＤ制御情報決定部３０１は、実施の形態３と同様、図２に示す循環遅延シフトサンプル数の組み合わせパターン、図１１に示す送信電力パラメータの組み合わせパターン、および、図１３に示す配置密度の組み合わせパターンを用いる。
【０１２０】
ただし、各基地局のＣＤＤ制御情報決定部３０１は、同一の組み合わせパターンのうち、同一の組み合わせを、自局と他の基地局との間で互いに異なる送信単位時間で用いて、複数の循環遅延シフトサンプル数を決定する。
【０１２１】
例えば、各基地局のＣＤＤ制御情報決定部３０１は、同一の組み合わせパターンに対して、基地局毎に異なる巡回シフトを施した組み合わせパターンをそれぞれ用いる。具体的には、図１７に示す基地局ＡのＣＤＤ制御情報決定部３０１は、図２１に示すように、スロット１〜６において、組み合わせ番号Ｃ１〜６をそれぞれ用いて、制御情報を決定する。これに対し、図１７に示す基地局ＢのＣＤＤ制御情報決定部３０１は、図２１に示すように、スロット１〜６において、基地局Ａで用いる組み合わせパターンを３スロット分だけ巡回シフトさせた組み合わせパターンを用いる。具体的には、図１７に示す基地局ＢのＣＤＤ制御情報決定部３０１は、図２１に示すように、スロット１〜６において、組み合わせ番号Ｃ４〜６、Ｃ１〜３をそれぞれ用いて、制御情報を決定する。
【０１２２】
これにより、基地局Ａでは、組み合わせ番号Ｃ１の制御情報がスロット１で用いられるのに対し、基地局Ｂでは、組み合わせ番号Ｃ１の制御情報がスロット４で用いられる。また、基地局Ａでは、組み合わせ番号Ｃ２の制御情報がスロット２で用いられるのに対し、基地局Ｂでは、組み合わせ番号Ｃ２の制御情報がスロット５で用いられる。つまり、図２１に示す基地局ＡのＣＤＤ制御情報決定部３０１および基地局ＢのＣＤＤ制御情報決定部３０１は、同一の組み合わせ番号の制御情報を、異なるスロットで用いる。組み合わせ番号Ｃ３〜６についても同様である。
【０１２３】
ここで、図２１に示す基地局Ａの循環遅延シフトサンプル数の組み合わせパターンと基地局Ｂの循環遅延シフトサンプル数の組み合わせパターンとを比較する。図２に示すように、基地局Ａにおいて、スロット１（組み合わせ番号Ｃ１）では、循環遅延シフトサンプル数の差が最大のＮ／２となる組み合わせを構成する２つのアンテナは、アンテナ１０９−１およびアンテナ１０９−２となる。これに対し、基地局Ｂにおいて、スロット１（組み合わせ番号Ｃ４）では、循環遅延シフトサンプル数の差が最大のＮ／２となる組み合わせを構成する２つのアンテナは、アンテナ１０９−２およびアンテナ１０９−３となる。同様に、図２に示すように、基地局Ａにおいて、スロット２（組み合わせ番号Ｃ２）では、循環遅延シフトサンプル数の差が最大のＮ／２となる組み合わせを構成する２つのアンテナは、アンテナ１０９−１およびアンテナ１０９−３となる。これに対し、基地局Ｂにおいて、スロット２（組み合わせ番号Ｃ５）では、循環遅延シフトサンプル数の差が最大のＮ／２となる組み合わせを構成する２つのアンテナは、アンテナ１０９−２およびアンテナ１０９−４となる。つまり、制御情報決定方法１と同様、同一スロットでは、２つのアンテナからそれぞれ送信されるデータシンボルに与える２つの循環遅延シフトサンプル数の差が最大のＮ／２となる組み合わせを構成するアンテナは、基地局Ａと基地局Ｂとで互いに異なる。スロット３〜６についても同様である。
【０１２４】
これにより、制御情報決定方法１と同様、各スロットにおけるチャネル利得Ｈａの変動とチャネル利得Ｈｂの変動とは異なる。そのため、移動局２００（図６）は、サイトダイバーシチ合成することで、制御情報決定方法１と同様、スロット１〜６（組み合わせ番号Ｃ１〜６）でのチャネル利得の変動を平均化することができる。
【０１２５】
よって、本制御情報決定方法によれば、各基地局が同一の組み合わせパターンを用いる場合でも、制御情報決定方法１と同様の効果を得ることができる。
【０１２６】
また、本制御情報決定方法では、時間の経過とともに組み合わせ（組み合わせ番号Ｃ１〜６）が順次変化する場合について説明した。しかし、本制御情報決定方法では、実施の形態４と同様、ＣＤＤ制御情報決定部３０１は、図２２に示すように、時間領域および周波数領域において、異なる組み合わせ（組み合わせ番号Ｃ１〜６）を用いて制御情報を決定してもよい。これにより、時間ダイバーシチ効果のみでなく、周波数ダイバーシチ効果も得ることができる。
【０１２７】
以上、制御情報決定方法１および２について説明した。
【０１２８】
このようにして、本実施の形態によれば、ＭＢＭＳを用いる場合に、各基地局のチャネル利得の変動が緩慢である場合でも、遅延スプレッドが小さい状態が継続することなく、時間ダイバーシチ効果と周波数ダイバーシチ効果とを同時に得ることができる。
【０１２９】
以上、本発明の各実施の形態について説明した。
【０１３０】
なお、ＣＤＤはＣＳＤ（Cyclic Shift Diversity）と称されることがある。また、ＣＰはガードインターバル（ＧＩ：Guard Interval）と称されることがある。また、サブキャリアはトーンと称されることがある。また、基地局はNode B、移動局はUEと表されることがある。
【０１３１】
また、上記実施の形態では、基地局のアンテナ数が４本の場合について説明したが、基地局のアンテナ数は４本に限らない。例えば、実施の形態２における基地局のアンテナ数が５本の場合、１ＴＴＩに２つの組み合わせを含み、循環遅延シフトサンプル数の差の最大は２Ｎ／５となる。また、例えば、実施の形態２における基地局のアンテナ数が６本の場合、１ＴＴＩ内に３つの組み合わせを含み、循環遅延シフトサンプル数の差の最大はＮ／２となる。
【０１３２】
また、上記実施の形態では、移動局のアンテナ数が２本の場合について説明したが、移動局のアンテナ数は、２本に限らない。また、移動局のアンテナ数は基地局のアンテナ本数にも依存しない。
【０１３３】
また、上記実施の形態では、基地局が移動局に循環遅延シフトサンプル数を制御情報として通知する場合について説明したが、例えば、基地局と移動局とで同一の循環遅延シフトサンプル数のシフトパターンを保持し、基地局と同様にして移動局でＴＴＩ毎に循環遅延シフトサンプル数を決定してもよい。
【０１３４】
また、上記実施の形態では、移動体通信システムにおいて、無線通信装置を基地局１００，３００とした場合について説明したが、本発明は、無線通信装置を移動局とすることもできる。これにより、上記同様の作用・効果を奏する移動局を実現することができる。
【０１３５】
また、上記実施の形態では、本発明をハードウェアで構成する場合を例にとって説明したが、本発明はソフトウェアで実現することも可能である。
【０１３６】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１３７】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【０１３８】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１３９】
２００７年７月１２日出願の特願２００７−１８３４７５および２００８年２月７日出願の特願２００８−０２７７５５の日本出願に含まれる明細書、図面および要約書の開示内容は、すべて本願に援用される。
【産業上の利用可能性】
【０１４０】
本発明は、移動体通信システム等に適用することができる。
【図面の簡単な説明】
【０１４１】
【図１】本発明の実施の形態１に係る基地局のブロック構成図
【図２】本発明の実施の形態１に係る循環遅延シフトサンプル数のパターンを示す図
【図３】本発明の実施の形態１に係る時間フェージングのチャネル利得の変動を示す図
【図４】本発明の実施の形態１に係るすべてのアンテナの組み合わせにおける遅延スプレッドの時間推移を示す図
【図５】本発明の実施の形態１に係る最大ドップラー周期とシフト周期との関係を示す図
【図６】本発明の実施の形態１に係る移動局のブロック構成図
【図７】本発明の実施の形態２に係る循環遅延シフトサンプル数のパターンを示す図
【図８】本発明の実施の形態２に係るすべてのアンテナの組み合わせにおける遅延スプレッドの時間推移を示す図
【図９】本発明の実施の形態２に係る最大ドップラー周期とシフト周期との関係を示す図
【図１０】本発明の実施の形態３に係る基地局のブロック構成図
【図１１】本発明の実施の形態３に係る送信電力パラメータのパターンを示す図
【図１２】本発明の実施の形態３に係るＯＦＤＭシンボルの送信電力制御を示す図
【図１３】本発明の実施の形態３に係る配置密度パラメータのパターンを示す図
【図１４】本発明の実施の形態３に係る共通参照信号の配置例を示す図
【図１５】本発明の実施の形態４に係る周波数領域における組み合わせパターンを示す図
【図１６】本発明の実施の形態４に係る時間領域および周波数領域における組み合わせパターンを示す図
【図１７】本発明の実施の形態５に係るＭＢＭＳを用いた移動体通信システム示す図
【図１８Ａ】本発明の実施の形態５に係る循環遅延シフトサンプル数のパターンを示す図（制御情報決定方法１）
【図１８Ｂ】本発明の実施の形態５に係る送信電力パラメータのパターンを示す図（制御情報決定方法１）
【図１８Ｃ】本発明の実施の形態５に係る配置密度パラメータのパターンを示す図（制御情報決定方法１）
【図１９】本発明の実施の形態５に係る各基地局の組み合わせパターンを示す図（制御情報決定方法１）
【図２０】本発明の実施の形態５に係る時間領域および周波数領域における組み合わせパターンを示す図（制御情報決定方法１）
【図２１】本発明の実施の形態５に係る各基地局の組み合わせパターンを示す図（制御情報決定方法２）
【図２２】本発明の実施の形態５に係る時間領域および周波数領域における組み合わせパターンを示す図（制御情報決定方法２）
【手続補正３】
【補正対象書類名】図面
【補正対象項目名】全図
【補正方法】変更
【補正の内容】
【図１】
2009008180.tif 000027
【図２】
2009008180.tif 000028
【図３】
2009008180.tif 000029
【図４】
2009008180.tif 000030
【図５】
2009008180.tif 000031
【図６】
2009008180.tif 000032
【図７】
2009008180.tif 000033
【図８】
2009008180.tif 000034
【図９】
2009008180.tif 000035
【図１０】
2009008180.tif 000036
【図１１】
2009008180.tif 000037
【図１２】
2009008180.tif 000038
【図１３】
2009008180.tif 000039
【図１４】
2009008180.tif 000040
【図１５】
2009008180.tif 000041
【図１６】
2009008180.tif 000042
【図１７】
2009008180.tif 000043
【図１８Ａ】
2009008180.tif 000044
【図１８Ｂ】
2009008180.tif 000045
【図１８Ｃ】
2009008180.tif 000046
【図１９】
2009008180.tif 000047
【図２０】
2009008180.tif 000048
【図２１】
2009008180.tif 000049
【図２２】
2009008180.tif 000050
【国際調査報告】
2009008180.tif 000051
2009008180.tif 000052
2009008180.tif 000053
2009008180.tif 000054